(57)【要約】【課題】高変倍比でありながら、小型で、種々の撮影場面で利用しやすい撮像装置を提供すること。【解決手段】ズームレンズと撮像素子を有し、ズームレンズは、第１正レンズ群と、第１負レンズ群と、像側レンズ群グループとを有し、第１正レンズ群は広角端に対して望遠端にて物体側に位置し、第１負レンズ群は第１正レンズ群との距離が広角端に対して望遠端にて広がり、像側レンズ群グループは第１負レンズ群との距離が広角端から望遠端への変倍に際して変化し、像側レンズ群グループは、第２正レンズ群と、第３正レンズ群とを有し、第２正レンズ群は第１負レンズ群との距離が広角端に対して望遠端にて狭まり、第３正レンズ群は第２正レンズ群との距離が広角端から望遠端への変倍に際して変化し、第１正レンズ群は複数の正レンズと少なくとも１つの負レンズを有し、所定の条件式を満足する。【選択図】図１
2014021367.tif 000002
【特許請求の範囲】
【請求項１】
ズームレンズと、前記ズームレンズの像側に配置された撮像素子と、を有し、
前記撮像素子は撮像面を持ち、前記ズームレンズにより形成された像を電気信号に変換し、
前記ズームレンズは、最も物体側に配置された正屈折力の第１正レンズ群と、前記第１正レンズ群の像側に配置された負屈折力の第１負レンズ群と、前記第１負レンズ群の像側に配置された像側レンズ群グループと、を有し、
前記第１正レンズ群は、広角端に対して望遠端にて物体側に位置し、
前記第１負レンズ群と前記第１正レンズ群との距離が、広角端に対して望遠端にて広がり、
前記像側レンズ群グループと前記第１負レンズ群との距離が、広角端から望遠端への変倍に際して変化し、
前記像側レンズ群グループは、正屈折力の第２正レンズ群と、前記第２正レンズ群よりも像側に配置された正屈折力の第３正レンズ群と、を有し、
前記第２正レンズ群と前記第１負レンズ群との距離が、広角端に対して望遠端にて狭まり、
前記第３正レンズ群と前記第２正レンズ群との距離が、広角端から望遠端への変倍に際して変化し、
前記第１正レンズ群は、複数の正レンズと少なくとも１つの負レンズを有し、
以下の条件式（１）、（２）、（３）を満足することを特徴とする撮像装置。
２０＜ｆt／ｆw＜６０      （１）
３２°＜ａｒｃｔａｎ（ＩＨMAX／ｆw）＜５５°      （２）
０．４５＜ＴＬt／ｆt＜０．７０      （３）
ただし、
ｆtは、望遠端における前記ズームレンズ全系の焦点距離、
ｆwは、広角端における前記ズームレンズ全系の焦点距離、
ＩＨMAXは、前記撮像面上に形成される像の最大像高であり、値が変化する場合はその最大値、
ＴＬt＝ＴＺＬt＋ＦＢtであり、
ＴＺＬtは、望遠端における前記ズームレンズの物体側面から像側面までの光軸上の距離、
ＦＢtは、望遠端における前記ズームレンズのバックフォーカスの空気換算長、
である。
【請求項２】
前記第１負レンズ群よりも像側に配置されたレンズの総数は７以下であることを特徴とする請求項１に記載の撮像装置。
【請求項３】
前記第１正レンズ群は、以下の条件式（４）を満足する正レンズを少なくとも１つ有することを特徴とする請求項１または２に記載の撮像装置。
９０＜νｄ      （４）
ただし、
νｄは、前記第１正レンズ群中の正レンズのｄ線におけるアッベ数、
である。
【請求項４】
所定の正レンズは、前記第１正レンズ群中にて光軸上での厚みが最も大きい正レンズであって、
前記所定の正レンズが前記条件式（４）を満足することを特徴とする請求項３に記載の撮像装置。
【請求項５】
前記第１正レンズ群は、２枚の正レンズと１枚の負レンズからなり、
所定の正レンズは、前記第１正レンズ群中にて光軸上での厚みが最も大きい正レンズであって、
前記所定の正レンズが以下の条件式（５）を満足することを特徴とする請求項１から４のいずれか１項に記載の撮像装置。
０．２５＜ｄP1P／Ｄ1P＜０．５５      （５）
ただし、
ｄP1Pは、前記所定の正レンズの光軸上での厚さ、
Ｄ1Pは、前記第１正レンズ群の光軸上での厚さ、
である。
【請求項６】
前記第１正レンズ群は４枚のレンズを含むことを特徴とする請求項１または３に記載の撮像装置。
【請求項７】
前記４枚のレンズのうちの少なくとも２枚の正レンズが、以下の条件式（４）を満足することを特徴とする請求項６に記載の撮像装置。
９０＜νｄ      （４）
ただし、
νｄは、前記第１正レンズ群中の正レンズのｄ線におけるアッベ数、
である。
【請求項８】
前記像側レンズ群グループは、前記第２正レンズ群と前記第３正レンズ群との間に配置された負屈折力の第２負レンズ群を有し、
前記第２負レンズ群と前記第２正レンズ群との距離、及び前記第２負レンズ群と前記第３正レンズ群との距離の双方が、広角端から望遠端への変倍に際して変化することを特徴とする請求項１から７のいずれか１項に記載の撮像装置。
【請求項９】
以下の条件式（Ａ）、（Ｂ）を満足することを特徴とする請求項８に記載の撮像装置。
Ｓ1P≧Ｓ1N≧Ｓ2P＞Ｓ3P      （Ａ）
Ｓ1P≧Ｓ1N≧Ｓ2P＞Ｓ2N      （Ｂ）
ただし、
Ｓ1Pは、前記第１正レンズ群中のレンズの総数、
Ｓ1Nは、前記第１負レンズ群中のレンズの総数、
Ｓ2Pは、前記第２正レンズ群中のレンズの総数、
Ｓ2Nは、前記第２負レンズ群中のレンズの総数、
Ｓ3Pは、前記第３正レンズ群中のレンズの総数、
である。
【請求項１０】
前記第２負レンズ群が以下の条件式（６）を満足する負レンズを含み、
無限遠から近距離への合焦の際に、前記第２負レンズ群が像側に移動することを特徴とする請求項８または９に記載の撮像装置。
７０＜νｄN2N      （６）
ただし、
νｄN2Nは、前記第２負レンズ群中の負レンズのｄ線におけるアッベ数、
である。
【請求項１１】
以下の条件式（７）、（８）を満足することを特徴とする請求項１から１０のいずれか１項に記載の撮像装置。
０．１＜ｆ1P／ｆt＜０．５      （７）
−０．１５＜ｆ1N／ｆt＜−０．０２      （８）
ただし、
ｆ1Pは、前記第１正レンズ群の焦点距離、
ｆ1Nは、前記第１負レンズ群の焦点距離、
ｆtは、望遠端における前記ズームレンズ全系の焦点距離、
である。
【請求項１２】
以下の条件式（９）、（１１）を満足することを特徴とする請求項１１に記載の撮像装置。
０．０５＜ｆ2P／ｆt＜０．１５      （９）
０．０５＜ｆ3P／ｆt＜０．２０      （１１）
ただし、
ｆ2Pは、前記第２正レンズ群の焦点距離、
ｆ3Pは、前記第３正レンズ群の焦点距離、
ｆtは、望遠端における前記ズームレンズ全系の焦点距離、
である。
【請求項１３】
以下の条件式（７）、（８）、（９）、（１０）、（１１）を満足することを特徴とする請求項８から１０のいずれか１項に記載の撮像装置。
０．１＜ｆ1P／ｆt＜０．５      （７）
−０．１５＜ｆ1N／ｆt＜−０．０２      （８）
０．０５＜ｆ2P／ｆt＜０．１５      （９）
−０．２５＜ｆ2N／ｆt＜−０．０５      （１０）
０．０５＜ｆ3P／ｆt＜０．２０      （１１）
ただし、
ｆ1Pは、前記第１正レンズ群の焦点距離、
ｆ1Nは、前記第１負レンズ群の焦点距離、
ｆ2Pは、前記第２正レンズ群の焦点距離、
ｆ2Nは、前記第２負レンズ群の焦点距離、
ｆ3Pは、前記第３正レンズ群の焦点距離、
ｆtは、望遠端における前記ズームレンズ全系の焦点距離、
である。
【請求項１４】
以下の条件式（１２）を満足することを特徴とする請求項１から１３のいずれか１項に記載の撮像装置。
０．１２＜Ｄ1P／ＴＬw      （１２）
ただし、
Ｄ1Pは、前記第１正レンズ群の光軸上での厚さ、
ＴＬw＝ＴＺＬw＋ＦＢwであり、
ＴＺＬwは、広角端における前記ズームレンズの物体側面から像側面までの光軸上の距離、
ＦＢwは、広角端における前記ズームレンズのバックフォーカスの空気換算長、
である。
【請求項１５】
以下の条件式（１３）を満足することを特徴とする請求項１から１４のいずれか１項に記載の撮像装置。
１．２＜Ｄ1P／Ｄ1N      （１３）
ただし、
Ｄ1Pは、前記第１正レンズ群の光軸上での厚さ、
Ｄ1Nは、前記第１負レンズ群の光軸上での厚さ、
である。
【請求項１６】
以下の条件式（１４）を満足することを特徴とする請求項１から１５のいずれか１項に記載の撮像装置。
０．４＜（ＴＬt−ＴＬw）／ＴＬw      （１４）
ただし、
ＴＬt＝ＴＺＬt＋ＦＢtであり、
ＴＺＬtは、望遠端における前記ズームレンズの物体側面から像側面までの光軸上の距離、
ＦＢtは、望遠端における前記ズームレンズのバックフォーカスの空気換算長、
ＴＬw＝ＴＺＬw＋ＦＢwであり、
ＴＺＬwは、広角端における前記ズームレンズの物体側面から像側面までの光軸上の距離、
ＦＢwは、広角端における前記ズームレンズのバックフォーカスの空気換算長、
である。
【請求項１７】
以下の条件式（１５）を満足することを特徴とする請求項１から１６のいずれか１項に記載の撮像装置。
２．０＜ＭＥ1Pw／ＭＥ1Nw      （１５）
ただし、
ＭＥ1Pwは、広角端における前記第１正レンズ群の物体側面の最大有効直径、
ＭＥ1Nwは、広角端における前記第１負レンズ群の物体側面の最大有効直径、
である。
【請求項１８】
前記像側レンズ群グループは合焦レンズ群を有し、
無限遠から第１の至近距離への合焦では、前記第１正レンズ群、前記第１負レンズ群及び前記第２正レンズ群を静止した状態で、前記合焦レンズ群が移動し、
前記第１の至近距離よりも近距離の第２の至近距離への合焦では、前記第１負レンズ群と前記第２正レンズ群を静止した状態で、前記第１正レンズ群が物体側へ移動することを特徴とする請求項１から１７のいずれか１項に記載の撮像装置。
【請求項１９】
前記第２の至近距離への合焦は、望遠端とは異なるズーム域の何れかにて行われ、
前記第１正レンズ群は、望遠端における無限遠への合焦時に最も物体側に位置することを特徴とする請求項１８に記載の撮像装置。
【請求項２０】
前記第１正レンズ群は、第１正レンズと、前記第１正レンズよりも像側に配置された第２正レンズと、前記第２正レンズよりも像側に配置された第３正レンズと、を含み、
以下の条件式（１６）を満足することを特徴とする請求項１から３、６から１３のいずれか１項に記載の撮像装置。
−１．８５＜ＳＦ3＜ＳＦ2＜ＳＦ1＜−０．７      （１６）
ただし、
ＳＦ1＝（ｒOL1＋ｒIL1）／（ｒOL1−ｒIL1）、
ＳＦ2＝（ｒOL2＋ｒIL2）／（ｒOL2−ｒIL2）、
ＳＦ3＝（ｒOL3＋ｒIL3）／（ｒOL3−ｒIL3）、
ＳＦnは第ｎ正レンズの形状ファクター、
ｒOLnは第ｎ正レンズの物体側屈折面の近軸曲率半径、
ｒILnは第ｎ正レンズの像側屈折面の近軸曲率半径、
ｎは１または２または３、
である。
【請求項２１】
最も物体側に配置された正屈折力の第１正レンズ群と、
前記第１正レンズ群の像側に配置された負屈折力の第１負レンズ群と、
前記第１負レンズ群の像側に配置された像側レンズ群グループと、を有し、
前記第１正レンズ群は、広角端に対して望遠端にて物体側に位置し、
前記第１負レンズ群と前記第１正レンズ群との距離が、広角端に対して望遠端にて広がり、
前記像側レンズ群グループと前記第１負レンズ群との距離が、広角端から望遠端への変倍に際して変化し、
前記像側レンズ群グループは、正屈折力の第２正レンズ群と、前記第２正レンズ群よりも像側に配置された正屈折力の第３正レンズ群と、を有し、
前記第２正レンズ群と前記第１負レンズ群との距離が、広角端に対して望遠端にて狭まり、
前記第３正レンズ群と前記第２正レンズ群との距離が、広角端から望遠端への変倍に際して変化し、
以下の条件式（１）、（３）、（Ａ）を満足し、
前記第１正レンズ群は、複数の正レンズと少なくとも１つの負レンズを有すると共に、以下の条件式（４）を満足する正レンズを少なくとも１つ有することを特徴とするズームレンズ。
２０＜ｆt／ｆw＜６０      （１）
０．４５＜ＴＬt／ｆt＜０．７０      （３）
９０＜νｄ      （４）
Ｓ1P≧Ｓ1N≧Ｓ2P＞Ｓ3P      （Ａ）
ただし、
ｆtは、望遠端における前記ズームレンズ全系の焦点距離、
ｆwは、広角端における前記ズームレンズ全系の焦点距離、
ＴＬt＝ＴＺＬt＋ＦＢtであり、
ＴＺＬtは、望遠端における前記ズームレンズの物体側面から像側面までの光軸上の距離、
ＦＢtは、望遠端における前記ズームレンズのバックフォーカスの空気換算長、
νｄは、前記第１正レンズ群中の正レンズのｄ線におけるアッベ数、
Ｓ1Pは、前記第１正レンズ群中のレンズの総数、
Ｓ1Nは、前記第１負レンズ群中のレンズの総数、
Ｓ2Pは、前記第２正レンズ群中のレンズの総数、
Ｓ3Pは、前記第３正レンズ群中のレンズの総数、
である。
【請求項２２】
前記第１正レンズ群は４枚のレンズを含むことを特徴とする請求項２１に記載のズームレンズ。
【請求項２３】
４枚のレンズのうちの少なくとも２枚の正レンズが、以下の条件式（４）を満足することを特徴とする請求項２２に記載のズームレンズ。
９０＜νｄ      （４）
ただし、
νｄは、前記第１正レンズ群中の正レンズのｄ線におけるアッベ数、
である。
【請求項２４】
以下の条件式（７）、（８）を満足することを特徴とする請求項２１から２３のいずれか１項に記載のズームレンズ。
０．１＜ｆ1P／ｆt＜０．５      （７）
−０．１５＜ｆ1N／ｆt＜−０．０２      （８）
ただし、
ｆ1Pは、前記第１正レンズ群の焦点距離、
ｆ1Nは、前記第１負レンズ群の焦点距離、
ｆtは、望遠端における前記ズームレンズ全系の焦点距離、
である。
【請求項２５】
以下の条件式（１２）を満足することを特徴とする請求項２１から２４のいずれか１項に記載のズームレンズ。
０．１２＜Ｄ1P／ＴＬw      （１２）
ただし、
Ｄ1Pは、前記第１正レンズ群の光軸上での厚さ、
ＴＬw＝ＴＺＬw＋ＦＢwであり、
ＴＺＬwは、広角端における前記ズームレンズの物体側面から像側面までの光軸上の距離、
ＦＢwは、広角端における前記ズームレンズのバックフォーカスの空気換算長、
である。
【請求項２６】
以下の条件式（１３）を満足することを特徴とする請求項２１から２５のいずれか１項に記載のズームレンズ。
１．２＜Ｄ1P／Ｄ1N      （１３）
ただし、
Ｄ1Pは、前記第１正レンズ群の光軸上での厚さ、
Ｄ1Nは、前記第１負レンズ群の光軸上での厚さ、
である。
【請求項２７】
以下の条件式（１４）を満足することを特徴とする請求項２１から２６のいずれか１項に記載のズームレンズ。
０．４＜（ＴＬt−ＴＬw）／ＴＬw      （１４）
ただし、
ＴＬt＝ＴＺＬt＋ＦＢtであり、
ＴＺＬtは、望遠端における前記ズームレンズの物体側面から像側面までの光軸上の距離、
ＦＢtは、望遠端における前記ズームレンズのバックフォーカスの空気換算長、
ＴＬw＝ＴＺＬw＋ＦＢwであり、
ＴＺＬwは、広角端における前記ズームレンズの物体側面から像側面までの光軸上の距離、
ＦＢwは、広角端における前記ズームレンズのバックフォーカスの空気換算長、
である。
【請求項２８】
以下の条件式（１５）を満足することを特徴とする請求項２１から２７のいずれか１項に記載のズームレンズ。
２．０＜ＭＥ1Pw／ＭＥ1Nw      （１５）
ただし、
ＭＥ1Pwは、広角端における前記第１正レンズ群の物体側面の最大有効直径、
ＭＥ1Nwは、広角端における前記第１負レンズ群の物体側面の最大有効直径、
である。
【請求項２９】
前記像側レンズ群グループは、前記第２正レンズ群と前記第３正レンズ群との間に配置された負屈折力の第２負レンズ群を有し、
前記第２負レンズ群と前記第２正レンズ群との距離、及び前記第２負レンズ群と前記第３正レンズ群との距離の双方が、広角端から望遠端への変倍に際して変化することを特徴とする請求項２１から２８のいずれか１項に記載のズームレンズ。
【請求項３０】
以下の条件式（Ｂ）を満足することを特徴とする請求項２９に記載のズームレンズ。
Ｓ1P≧Ｓ1N≧Ｓ2P＞Ｓ2N      （Ｂ）
ただし、
Ｓ1Pは、前記第１正レンズ群中のレンズの総数、
Ｓ1Nは、前記第１負レンズ群中のレンズの総数、
Ｓ2Pは、前記第２正レンズ群中のレンズの総数、
Ｓ2Nは、前記第２負レンズ群中のレンズの総数、
である。
【請求項３１】
前記第２負レンズ群は合焦レンズ群であって、
無限遠から第１の至近距離への合焦では、前記第１正レンズ群、前記第１負レンズ群及び前記第２正レンズ群を静止した状態で、前記合焦レンズ群が移動し、
前記第１の至近距離よりも近距離の第２の至近距離への合焦では、前記第１負レンズ群と前記第２正レンズ群を静止した状態で、前記第１正レンズ群が物体側へ移動することを特徴とする請求項２９または３０に記載のズームレンズ。
【請求項３２】
ズームレンズと、前記ズームレンズの像側に配置された撮像素子とを有し、
前記撮像素子は撮像面を持ち、前記ズームレンズにより形成された像を電気信号に変換し、
前記ズームレンズが、請求項２１から３１のいずれか１項に記載のズームレンズであることを特徴とする撮像装置。
【発明の詳細な説明】
【技術分野】
【０００１】
本発明は、撮像装置、及びこの撮像装置に用いられるズームレンズに関する。
【背景技術】
【０００２】
従来、最も物体側に配置された正屈折力の第１正レンズ群と、その像側に配置された負屈折力の第１負レンズ群と、その像側に配置された像側レンズ群を有するズームレンズ、及びこのズームレンズを備えた撮像装置が知られている。撮像装置に用いられるズームレンズは種々あるが、そのうち、高変倍比のズームレンズが特許文献１から４に開示されている。
【先行技術文献】
【特許文献】
【０００３】
【特許文献１】特開２０１１−９０２６５号公報
【特許文献２】特開２０１２−２７３０８号公報
【特許文献３】特開２００９−２５１２８０号公報
【特許文献４】特開２０１１−４８３２０号公報
【発明の概要】
【発明が解決しようとする課題】
【０００４】
特許文献１のズームレンズは、高い変倍比と、広角端における広い画角を有する。しかしながら、特許文献１のズームレンズでは、望遠端での焦点距離に対するレンズ全長（望遠比）が大きい。そのため、特許文献１のズームレンズは、レンズ群を移動させる鏡筒も考慮した場合の小型化に不利である。
【０００５】
特許文献２のズームレンズは高い変倍比を有する。しかしながら、特許文献２のズームレンズでは、広角端から望遠端への変倍に際してレンズ全長が一定である。そのため、特許文献２のズームレンズは、光学系の広画角化と小型化の両立に不利である。
【０００６】
特許文献３のズームレンズは高い変倍比を有する。また、特許文献３には、第１正レンズ群がズーミングの際に移動するレンズ系が開示されている。しかしながら、特許文献３のズームレンズは、光学系の広画角化と小型化の両立には不利である。
【０００７】
特許文献４のズームレンズは高い変倍比を有する。しかしながら、特許文献４のズームレンズでは、広角端から望遠端への変倍に際してレンズ全長が一定である。そのため、特許文献４のズームレンズは、光学系の広画角化と小型化の両立に不利である。
【０００８】
本発明は、このような課題に鑑みてなされたものであって、高変倍比でありながら、小型で、種々の撮影場面で利用しやすい撮像装置、及びこの撮像装置に用いられるズームレンズを提供することを目的とする。もしくは、高変倍比でありながら、小型で、高性能化にも有利な撮像装置、及びこの撮像装置に用いられるズームレンズを提供することを目的とする。
【課題を解決するための手段】
【０００９】
上述した課題を解決し、目的を達成するために、本発明の撮像装置は、
ズームレンズと、ズームレンズの像側に配置された撮像素子とを有し、
撮像素子は撮像面を持ち、ズームレンズにより形成された像を電気信号に変換し、
ズームレンズは、最も物体側に配置された正屈折力の第１正レンズ群と、第１正レンズ群の像側に配置された負屈折力の第１負レンズ群と、第１負レンズ群の像側に配置された像側レンズ群グループと、を有し、
第１正レンズ群は、広角端に対して望遠端にて物体側に位置し、
第１負レンズ群と第１正レンズ群との距離が、広角端に対して望遠端にて広がり、
像側レンズ群グループと第１負レンズ群との距離が、広角端から望遠端への変倍に際して変化し、
像側レンズ群グループは、正屈折力の第２正レンズ群と、第２正レンズ群よりも像側に配置された正屈折力の第３正レンズ群と、を有し、
第２正レンズ群と第１負レンズ群との距離が、広角端に対して望遠端にて狭まり、
第３正レンズ群と第２正レンズ群との距離が、広角端から望遠端への変倍に際して変化し、
第１正レンズ群は、複数の正レンズと少なくとも１つの負レンズを有し、
以下の条件式（１）、（２）、（３）を満足することを特徴とする。
２０＜ｆt／ｆw＜６０      （１）
３２°＜ａｒｃｔａｎ（ＩＨMAX／ｆw）＜５５°      （２）
０．４５＜ＴＬt／ｆt＜０．７０      （３）
ただし、
ｆtは、望遠端におけるズームレンズ全系の焦点距離、
ｆwは、広角端におけるズームレンズ全系の焦点距離、
ＩＨMAXは、撮像面上に形成される像の最大像高であり、値が変化する場合はその最大値、
ＴＬt＝ＴＺＬt＋ＦＢtであり、
ＴＺＬtは、望遠端におけるズームレンズの物体側面から像側面までの光軸上の距離、
ＦＢtは、望遠端におけるズームレンズのバックフォーカスの空気換算長、
である。
【００１０】
また、本発明のズームレンズは、
最も物体側に配置された正屈折力の第１正レンズ群と、
第１正レンズ群の像側に配置された負屈折力の第１負レンズ群と、
第１負レンズ群の像側に配置された像側レンズ群グループと、を有し、
第１正レンズ群は、広角端に対して望遠端にて物体側に位置し、
第１負レンズ群と第１正レンズ群との距離が、広角端に対して望遠端にて広がり、
像側レンズ群グループと第１負レンズ群との距離が、広角端から望遠端への変倍に際して変化し、
像側レンズ群グループは、正屈折力の第２正レンズ群と、第２正レンズ群よりも像側に配置された正屈折力の第３正レンズ群と、を有し、
第２正レンズ群と第１負レンズ群との距離が、広角端に対して望遠端にて狭まり、
第３正レンズ群と第２正レンズ群との距離が、広角端から望遠端への変倍に際して変化し、
以下の条件式（１）、（３）、（Ａ）を満足し、
第１正レンズ群は、複数の正レンズと少なくとも１つの負レンズを有すると共に、以下の条件式（４）を満足する正レンズを少なくとも１つ有することを特徴とする。
２０＜ｆt／ｆw＜６０      （１）
０．４５＜ＴＬt／ｆt＜０．７０      （３）
９０＜νｄ      （４）
Ｓ1P≧Ｓ1N≧Ｓ2P＞Ｓ3P      （Ａ）
ただし、
ｆtは、望遠端におけるズームレンズ全系の焦点距離、
ｆwは、広角端におけるズームレンズ全系の焦点距離、
ＴＬt＝ＴＺＬt＋ＦＢtであり、
ＴＺＬtは、望遠端におけるズームレンズの物体側面から像側面までの光軸上の距離、
ＦＢtは、望遠端におけるズームレンズのバックフォーカスの空気換算長、
νｄは、第１正レンズ群中の正レンズのｄ線におけるアッベ数、
Ｓ1Pは、第１正レンズ群中のレンズの総数、
Ｓ1Nは、第１負レンズ群中のレンズの総数、
Ｓ2Pは、第２正レンズ群中のレンズの総数、
Ｓ3Pは、第３正レンズ群中のレンズの総数、
である。
【００１１】
また、本発明の別の撮像装置は、
ズームレンズと、ズームレンズの像側に配置された撮像素子とを有し、
撮像素子は撮像面を持ち、ズームレンズにより形成された像を電気信号に変換し、
ズームレンズが上記のズームレンズであることを特徴とする。
【発明の効果】
【００１２】
本発明によれば、高変倍比でありながら、小型で、種々の撮影場面で利用しやすい撮像装置、及びこの撮像装置に用いられるズームレンズを提供することができる。もしくは、高変倍比でありながら、小型で、高性能化にも有利な撮像装置、及びこの撮像装置に用いられるズームレンズを提供することができる。
【図面の簡単な説明】
【００１３】
【図１】本発明のズームレンズの実施例１の無限遠物点合焦時の広角端（ａ）、望遠端（ｂ）でのレンズ断面図である。
【図２】本発明のズームレンズの実施例２の無限遠物点合焦時の広角端（ａ）、望遠端（ｂ）でのレンズ断面図である。
【図３】本発明のズームレンズの実施例３の無限遠物点合焦時の広角端（ａ）、望遠端（ｂ）でのレンズ断面図である。
【図４】本発明のズームレンズの実施例４の無限遠物点合焦時の広角端（ａ）、望遠端（ｂ）でのレンズ断面図である。
【図５】本発明のズームレンズの実施例５の無限遠物点合焦時の広角端（ａ）、望遠端（ｂ）でのレンズ断面図である。
【図６】本発明のズームレンズの実施例６の無限遠物点合焦時の広角端（ａ）、望遠端（ｂ）でのレンズ断面図である。
【図７】本発明のズームレンズの実施例７の無限遠物点合焦時の広角端（ａ）、望遠端（ｂ）でのレンズ断面図である。
【図８】本発明のズームレンズの実施例８の無限遠物点合焦時の広角端（ａ）、望遠端（ｂ）でのレンズ断面図である。
【図９】実施例１の無限遠物点合焦時の収差図である。
【図１０】実施例２の無限遠物点合焦時の収差図である。
【図１１】実施例３の無限遠物点合焦時の収差図である。
【図１２】実施例４の無限遠物点合焦時の収差図である。
【図１３】実施例５の無限遠物点合焦時の収差図である。
【図１４】実施例６の無限遠物点合焦時の収差図である。
【図１５】実施例７の無限遠物点合焦時の収差図である。
【図１６】実施例８の無限遠物点合焦時の収差図である。
【図１７】本発明によるズームレンズを組み込んだデジタルカメラの断面図である。
【図１８】上記デジタルカメラの概観を示す前方斜視図である。
【図１９】上記デジタルカメラの後方斜視図である。
【図２０】上記デジタルカメラの主要部の内部回路の構成ブロック図である。
【発明を実施するための形態】
【００１４】
以下に、本発明にかかる撮像装置、及びこの撮像装置に用いるズームレンズの実施形態及び実施例を、図面に基づいて詳細に説明する。なお、この実施形態及び実施例によりこの発明が限定されるものではない。
【００１５】
本実施形態の撮像装置は、ズームレンズと、ズームレンズの像側に配置された撮像素子とを有し、撮像素子は撮像面を持ち、ズームレンズにより形成された像を電気信号に変換し、ズームレンズは、最も物体側に配置された正屈折力の第１正レンズ群と、第１正レンズ群の像側に配置された負屈折力の第１負レンズ群と、第１負レンズ群の像側に配置された像側レンズ群グループと、を有する。
【００１６】
そして、このズームレンズでは、第１正レンズ群は、広角端に対して望遠端にて物体側に位置し、第１負レンズ群と第１正レンズ群との距離が、広角端に対して望遠端にて広がり、像側レンズ群グループと第１負レンズ群との距離が、広角端から望遠端への変倍に際して変化する。
【００１７】
上記のように、第１正レンズ群は変倍時に移動し、広角端に対して望遠端にて物体側に位置する。このようにすることで、広角端においてズームレンズの全長を短縮することができる。その結果、第１正レンズ群の有効口径を小さく抑えつつ、光学系を広画角化することができる。よって、このような第１正レンズ群の動きは、第１正レンズ群の径方向のサイズ低減と光学系の広画角化に有利となる。
【００１８】
また、変倍時、上記のように各レンズ群の間隔を変化させることで、第１負レンズ群と第２正レンズ群に変倍作用を持たせることができる。よって、このような間隔変化は、変倍比の十分な確保に有利となる。
【００１９】
さらに、このズームレンズでは、像側レンズ群グループは、正屈折力の第２正レンズ群と、第２正レンズ群よりも像側に配置された正屈折力の第３正レンズ群と、を有し、第２正レンズ群と第１負レンズ群との距離が、広角端に対して望遠端にて狭まり、第３正レンズ群と第２正レンズ群との距離が、広角端から望遠端への変倍に際して変化する。
【００２０】
像側レンズ群グループに第３正レンズ群を配置することは、射出瞳を像面（撮像面）から遠ざけることに有利となる。
【００２１】
さらに、このズームレンズでは、第１正レンズ群は、複数の正レンズと少なくとも１つの負レンズを有する。複数のレンズ群を有することで、第１正レンズ群において、適切な大きさの正屈折力を確保できる。また、負レンズを有することで、第１正レンズ群において、色収差を良好に補正することができる。
【００２２】
そして、本実施形態の撮像装置は、以下の条件式（１）、（２）、（３）を満足する。
２０＜ｆt／ｆw＜６０      （１）
３２°＜ａｒｃｔａｎ（ＩＨMAX／ｆw）＜５５°      （２）
０．４５＜ＴＬt／ｆt＜０．７０      （３）
ただし、
ｆtは、望遠端におけるズームレンズ全系の焦点距離、
ｆwは、広角端におけるズームレンズ全系の焦点距離、
ＩＨMAXは、撮像面上に形成される像の最大像高であり、値が変化する場合はその最大値、
ＴＬt＝ＴＺＬt＋ＦＢtであり、
ＴＺＬtは、望遠端におけるズームレンズの物体側面から像側面までの光軸上の距離、
ＦＢtは、望遠端におけるズームレンズのバックフォーカスの空気換算長、
である。
【００２３】
条件式（１）は、ズームレンズにおける好ましい変倍比を特定する条件式である。条件式（１）の下限値を下回らないようにすることで、種々の撮影場面に適した撮影画角を得やすくなる。一方、条件式（１）の上限値を上回らないようにすることで、望遠端において十分な明るさの確保ができる。
【００２４】
条件式（２）は、ズームレンズにおける好ましい広角端焦点距離を特定する条件式である。条件式（２）の下限値を下回らないようにすることで、種々の撮影場面に適した画角を得やすくなる。一方、条件式（２）の上限値を上回らないようにすることは、第１正レンズ群の径方向のサイズ低減や、広角端付近での軸外収差の低減に有利となる。
【００２５】
なお、ズームレンズによっては、撮像面上に形成される像の高さを、変倍時に変化させる場合がある。例えば、望遠端での像高や中間焦点距離状態での像高に比べて、広角端での像高を意図的に小さくする。そして、広角端での像に画像処理を施し、望遠端での像高や中間焦点距離状態での像高と同じにしている。そこで、変倍時に像高が変化するズームレンズでは、ＩＨMAXは、変化する像高のうちの最大値となる。
【００２６】
条件式（３）は、ズームレンズにおける好ましい望遠端望遠比を特定する条件式である。条件式（３）の下限値を下回らないようにすることは、望遠端付近での軸上色収差の低減に有利となる。一方、条件式（３）の上限値を上回らないようにすることで、第１レンズ群の移動量を低減できる。その結果、全ズーム域（広角端から望遠端まで）で、ズームレンズを小型にできる。よって、条件式（３）の上限値を上回らないことは、鏡筒も含めた撮像装置の小型化に有利となる。
【００２７】
また、本実施形態の撮像装置では、第１負レンズ群よりも像側に配置されたレンズの総数は７以下であることが好ましい。
【００２８】
レンズの総数を少なくすることは、ズームレンズの全長の短縮やコストの低減に有利となる。
【００２９】
なお、第１負レンズ群よりも像側に配置されたレンズの総数は、６以下であることが好ましい。さらには、第１負レンズ群よりも像側に配置されたレンズの総数は、５以下であることが好ましい。
【００３０】
また、本実施形態の撮像装置では、第１正レンズ群は、以下の条件式（４）を満足する正レンズを少なくとも１つ有することが好ましい。
９０＜νｄ      （４）
ただし、
νｄは、第１正レンズ群中の正レンズのｄ線におけるアッベ数、
である。
【００３１】
第１正レンズ群の屈折力を大きくすることは、小さな望遠比の維持と変倍比の十分な確保に有利となる。ただし、第１正レンズ群の屈折力を大きくすると、第１正レンズ群で色収差が発生しやすくなる。そこで、第１正レンズ群の屈折力を大きくした際の色収差の低減のために、条件式（４）を満足する正レンズ、すなわち低分散の正レンズが第１正レンズ群に用いられていることが好ましい。
【００３２】
第１正レンズ群が条件式（４）を満足する正レンズを少なくとも１つ有することで、第１正レンズ群において、色収差の発生を抑えやすくなる。その結果、ズームレンズの光学性能（結像性能）の向上ができ、これに伴い、撮像装置における画像の画質を向上させることができる。よって、条件式（４）を満足する正レンズを用いることは、前述の条件式（１）から（３）を満足する撮像装置における画質向上に有利となる。
【００３３】
また、本実施形態の撮像装置では、所定の正レンズは、第１正レンズ群中にて光軸上での厚みが最も大きい正レンズであって、所定の正レンズが条件式（４）を満足することが好ましい。
【００３４】
第１正レンズ群は複数の正レンズを有する。このうち、所定のレンズ、すなわち、光軸上での厚みが最も大きい正レンズが、条件式（４）を満たすレンズであると、このレンズの正屈折力を大きくし易くなる。その結果、ズームレンズにおける光学性能の向上ができ、これに伴い、撮像装置における画像の画質を向上させることができる。よって、所定の正レンズが条件式（４）を満足することは、光学性能の向上と画質の向上の両立に有利となる。
【００３５】
また、本実施形態の撮像装置では、第１正レンズ群は、２枚の正レンズと１枚の負レンズからなり、所定の正レンズは、第１正レンズ群中にて光軸上での厚みが最も大きい正レンズであって、所定の正レンズが以下の条件式（５）を満足することが好ましい。
０．２５＜ｄP1P／Ｄ1P＜０．５５      （５）
ただし、
ｄP1Pは、所定の正レンズの光軸上での厚さ、
Ｄ1Pは、第１正レンズ群の光軸上での厚さ、
である。
【００３６】
第１正レンズ群を３枚のレンズ構成とすることで、第１正レンズ群の薄型化ができる。ここで、第１正レンズ群を３枚のレンズ構成とした場合は、所定のレンズ、すなわち、光軸上での厚みが最も大きい正レンズが条件式（５）を満たすようにすることが好ましい。このようにすることで、第１正レンズ群の正屈折力を十分に確保することができる。なお、条件式（５）を満足する正レンズは、１枚であっても２枚であっても良い。
【００３７】
条件式（５）の下限値を下回らないようにすることは、第１正レンズ群における十分な屈折力の確保に有利となる。一方、条件式（５）の上限値を上回らないようにすることで、２枚の正レンズの双方で正屈折力を負担できる。よって、条件式（５）の上限値を上回らないようにすることは、第１正レンズ群における収差を補正する上で有利となる。
【００３８】
また、本実施形態の撮像装置では、第１正レンズ群は４枚のレンズを含むことが好ましい。
【００３９】
第１正レンズ群中のレンズ枚数を多めに確保することは、第１正レンズ群における正屈折力の十分な確保と収差の低減の両立に有利となる。なお、この構成は、後述の実施形態のズームレンズでも用いることができる。
【００４０】
また、本実施形態の撮像装置では、４枚のレンズのうちの少なくとも２枚の正レンズが、以下の条件式（４）を満足することが好ましい。
９０＜νｄ      （４）
ただし、
νｄは、第１正レンズ群中の正レンズのｄ線におけるアッベ数、
である。
【００４１】
４枚のレンズのうちの少なくとも２枚のレンズが条件式（４）を満足するレンズであることで、第１正レンズ群における色収差の発生を抑えることができ、また、第１正レンズ群の屈折力を十分に確保することができる。よって、条件式（４）を満足するレンズを少なくとも２枚有することは、第１正レンズ群における屈折力の十分な確保と収差低減の両立にいっそう有利となる。なお、この条件式（４）は、後述の実施形態のズームレンズでも満足することが好ましい。
【００４２】
また、本実施形態の撮像装置では、像側レンズ群グループは、第２正レンズ群と第３正レンズ群との間に配置された負屈折力の第２負レンズ群を有し、第２負レンズ群と第２正レンズ群との距離、及び第２負レンズ群と第３正レンズ群との距離の双方が、広角端から望遠端への変倍に際して変化することが好ましい。
【００４３】
上記の構成によって、第２正レンズ群を射出した軸外光束は、第２負レンズ群によって光軸から離れる方向へ屈折される。その後、第２負レンズ群を射出した軸外光束は、第３正レンズ群によって撮像面へ向かうように（光軸に近づく方向に）屈折される。よって、このような構成は、第２負レンズ群よりも物体側の光学系の小型化に有利となる。また、第２負レンズ群にコンペンセータの役割を持たせることも可能となるので、設計の自由度が増える。なお、この構成は、後述の実施形態のズームレンズでも満足することが好ましい。
【００４４】
また、本実施形態の撮像装置は、以下の条件式（Ａ）、（Ｂ）を満足することが好ましい。
Ｓ1P≧Ｓ1N≧Ｓ2P＞Ｓ3P      （Ａ）
Ｓ1P≧Ｓ1N≧Ｓ2P＞Ｓ2N      （Ｂ）
ただし、
Ｓ1Pは、第１正レンズ群中のレンズの総数、
Ｓ1Nは、第１負レンズ群中のレンズの総数、
Ｓ2Pは、第２正レンズ群中のレンズの総数、
Ｓ2Nは、第２負レンズ群中のレンズの総数、
Ｓ3Pは、第３正レンズ群中のレンズの総数、
である。
【００４５】
ズームレンズは、光学系の小型化や高変倍比への寄与が高いレンズ群と、そうでないレンズ群（光学系の小型化や高変倍比への寄与が高くないレンズ群）で構成される。そこで、光学系の小型化や高変倍比への寄与が高いレンズ群については、屈折力の十分な確保と収差低減のためにレンズの総数を多くし、そうでないレンズ群については、レンズの総数を少なくして、光学系の低コスト化を行うことが好ましい。
【００４６】
条件式（Ａ）と条件式（Ｂ）のいずれか一方を満足することで、レンズ枚数の多いレンズ群が物体側に配置され、レンズ枚数を少ないレンズ群が像側に配置されることになる。その結果、各レンズ群において、適切な屈折力の確保、収差低減及び低コスト化ができる。なお、条件式（Ａ）と条件式（Ｂ）の双方を同時に満足することで、より高い効果を得ることができる。なお、この条件式（Ｂ）は、後述の実施形態のズームレンズでも満足することが好ましい。
【００４７】
また、本実施形態の撮像装置では、第２負レンズ群が以下の条件式（６）を満足する負レンズを含み、無限遠から近距離への合焦の際に、第２負レンズ群が像側に移動することが好ましい。
７０＜νｄN2N      （６）
ただし、
νｄN2Nは、第２負レンズ群中の負レンズのｄ線におけるアッベ数、
である。
【００４８】
条件式（６）を満足することで、第２負レンズ群での色収差の発生を抑えることができる。また、条件式（６）を満足することは、第２負レンズ群を構成するレンズ枚数の低減や、第２負レンズ群の軽量化に有利となる。
【００４９】
また、条件式（６）を満足することで、第２負レンズ群を小型化、軽量化できるため、第２負レンズ群をフォーカシングレンズ群にすることができる。このようにすることは、フォーカシング駆動負担の軽減などに有利となる。なお、レンズ群を移動させると、レンズ群の移動に伴って像（撮像面上での像）の大きさが変化するが、第２負レンズ群の移動だと、この変化を小さくしやすくなる。そのため、第２負レンズ群は、動画撮影の際のフォーカシングレンズ群としても好ましい。
【００５０】
また、本実施形態の撮像装置は、以下の条件式（７）、（８）を満足することが好ましい。
０．１＜ｆ1P／ｆt＜０．５      （７）
−０．１５＜ｆ1N／ｆt＜−０．０２      （８）
ただし、
ｆ1Pは、第１正レンズ群の焦点距離、
ｆ1Nは、第１負レンズ群の焦点距離、
ｆtは、望遠端におけるズームレンズ全系の焦点距離、
である。
【００５１】
条件式（７）と（８）は、それぞれ、第１正レンズ群と第１負レンズ群の好ましい焦点距離を特定するものである。条件式（７）、（８）の一方を満足するか、もしくは両方を同時に満足することが好ましい。なお、この条件式（７）、（８）は、後述の実施形態のズームレンズでも満足することが好ましい。
【００５２】
条件式（７）の下限値を下回らないようにすることは、ズームレンズ全体における色収差の低減（色収差の発生の抑制）に有利となる。一方、条件式（７）の上限値を上回らないようにすることは、望遠端付近でのレンズ全長の短縮化や、適切な変倍比の確保に有利となる。
【００５３】
条件式（８）の下限値を下回らないようにすることは、広角端における画角の十分な確保や、適切な変倍比の確保に有利となる。また、条件式（８）の下限値を下回らないようにすることは、ズームレンズ全体における像面湾曲と色収差の低減（発生の抑制）にも有利となる。一方、条件式（８）の上限値を上回らないようにすることで、第１負レンズ群において、変倍に際しての収差変動、特に、像面湾曲の変動を抑えやすくすることができる。
【００５４】
また、本実施形態の撮像装置は、以下の条件式（９）、（１１）を満足することが好ましい。
０．０５＜ｆ2P／ｆt＜０．１５      （９）
０．０５＜ｆ3P／ｆt＜０．２０      （１１）
ただし、
ｆ2Pは、第２正レンズ群の焦点距離、
ｆ3Pは、第３正レンズ群の焦点距離、
ｆtは、望遠端におけるズームレンズ全系の焦点距離、
である。
【００５５】
条件式（９）と（１１）は、それぞれ、第２正レンズ群と第３正レンズ群の好ましい焦点距離を特定するものである。条件式（９）と（１１）の一方を満足するか、もしくは両方を同時に満足することが好ましい。
【００５６】
条件式（９）の下限値を下回らないようにすることは、望遠端付近での球面収差の低減（球面収差の発生の抑制）に有利となる。一方、条件式（９）の上限値を上回らないようにすることは、第２正レンズ群における変倍機能の確保に有利となる。
【００５７】
条件式（１１）の下限値を下回らないようにすることは、像面の物体側への倒れの低減に有利となる。一方、条件式（１１）の上限値を上回らないようにすることは、射出瞳を像面から遠ざける機能の確保に有利となる。また、第３正レンズ群を移動させて第３正レンズ群に変倍機能を持たせる場合、条件式（１１）の上限値を上回らないようにすることは、第３正レンズ群における変倍機能の確保に有利となる。
【００５８】
また、本実施形態の撮像装置は、以下の条件式（７）、（８）、（９）、（１０）、（１１）を満足することが好ましい。
０．１＜ｆ1P／ｆt＜０．５      （７）
−０．１５＜ｆ1N／ｆt＜−０．０２      （８）
０．０５＜ｆ2P／ｆt＜０．１５      （９）
−０．２５＜ｆ2N／ｆt＜−０．０５      （１０）
０．０５＜ｆ3P／ｆt＜０．２０      （１１）
ただし、
ｆ1Pは、第１正レンズ群の焦点距離、
ｆ1Nは、第１負レンズ群の焦点距離、
ｆ2Pは、第２正レンズ群の焦点距離、
ｆ2Nは、第２負レンズ群の焦点距離、
ｆ3Pは、第３正レンズ群の焦点距離、
ｆtは、望遠端におけるズームレンズ全系の焦点距離、
である。
【００５９】
条件式（７）、（８）、（９）、（１０）及び（１１）は、それぞれ、第１正レンズ群、第１負レンズ群、第２正レンズ群、第２負レンズ群及び第３正レンズ群の好ましい焦点距離を特定するものである。
【００６０】
条件式（７）、（８）、（９）及び（１１）の技術的意義は、前述したとおりである。
【００６１】
条件式（１０）の下限値を下回らないようにすることは、ズームレンズの径方向の小型化に有利となる。一方、条件式（１０）の上限値を上回らないようにすることは、第２負レンズ群でのコマ収差、像面湾曲及び球面収差の低減（各収差の発生の抑制）に有利となる。また、条件式（１０）の上限値を上回らないようにすることは、第２負レンズ群をフォーカスレンズ群とした場合の収差変動の低減にも有利となる。
【００６２】
また、本実施形態の撮像装置は、以下の条件式（１２）を満足することが好ましい。
０．１２＜Ｄ1P／ＴＬw      （１２）
ただし、
Ｄ1Pは、第１正レンズ群の光軸上での厚さ、
ＴＬw＝ＴＺＬw＋ＦＢwであり、
ＴＺＬwは、広角端におけるズームレンズの物体側面から像側面までの光軸上の距離、
ＦＢwは、広角端におけるズームレンズのバックフォーカスの空気換算長、
である。
【００６３】
条件式（１２）の下限値を下回らないように、第１正レンズ群の光軸上での厚さを適切に確保することが好ましい。このようにすることで、レンズ構成の自由度が増す。条件式（１２）の下限値を下回らないようにすることは、第１正レンズ群での屈折力の十分な確保と収差の低減の両立に有利となる。なお、この条件式（１２）は、後述の実施形態のズームレンズでも満足することが好ましい。
【００６４】
また、本実施形態の撮像装置は、以下の条件式（１３）を満足することが好ましい。
１．２＜Ｄ1P／Ｄ1N      （１３）
ただし、
Ｄ1Pは、第１正レンズ群の光軸上での厚さ、
Ｄ1Nは、第１負レンズ群の光軸上での厚さ、
である。
【００６５】
条件式（１３）の下限値を下回らないように、第１正レンズ群の光軸上での厚さを適切に確保することが好ましい。このようにすることで、レンズ構成の自由度が増す。条件式（１３）の下限値を下回らないようにすることは、第１正レンズ群での屈折力の十分な確保と収差の低減の両立に有利となる。
【００６６】
あるいは、条件式（１３）の下限値を下回らないように、第１負レンズ群の光軸上での厚さを小さくすることが好ましい。このようにすることで、第１負レンズ群の前後の可変空気間隔を適切に確保することができる。条件式（１３）の下限値を下回らないようにすることは、適切な変倍比の確保や、ズームレンズや撮像装置の小型化に有利となる。なお、この条件式（１３）は、後述の実施形態のズームレンズでも満足することが好ましい。
【００６７】
また、本実施形態の撮像装置は、以下の条件式（１４）を満足することが好ましい。
０．４＜（ＴＬt−ＴＬw）／ＴＬw      （１４）
ただし、
ＴＬt＝ＴＺＬt＋ＦＢtであり、
ＴＺＬtは、望遠端におけるズームレンズの物体側面から像側面までの光軸上の距離、
ＦＢtは、望遠端におけるズームレンズのバックフォーカスの空気換算長、
ＴＬw＝ＴＺＬw＋ＦＢwであり、
ＴＺＬwは、広角端におけるズームレンズの物体側面から像側面までの光軸上の距離、
ＦＢwは、広角端におけるズームレンズのバックフォーカスの空気換算長、
である。
【００６８】
条件式（１４）は第１正レンズ群の好ましい移動量を特定するものである。条件式（１４）の下限値を下回らないように、第１正レンズ群の移動量を適切に確保することが好ましい。条件式（１４）の下限値を下回らないようにすることは、広角端でのレンズ全長の短縮、有効口径の低減、画角の十分な確保に有利となる。なお、この条件式（１４）は、後述の実施形態のズームレンズでも満足することが好ましい。
【００６９】
また、本実施形態の撮像装置は、以下の条件式（１５）を満足することが好ましい。
２．０＜ＭＥ1Pw／ＭＥ1Nw      （１５）
ただし、
ＭＥ1Pwは、広角端における第１正レンズ群の物体側面の最大有効直径、
ＭＥ1Nwは、広角端における第１負レンズ群の物体側面の最大有効直径、
である。
【００７０】
条件式（１５）の下限値を下回らないように、第１正レンズ群の最大有効直径を確保することが好ましい。条件式（１５）の下限値を下回らないようにすることは、広角端での適切な画角の確保、望遠端での適切な明るさの確保に有利となる。なお、最大有効直径は、対象とする面における有効光束の直径であり、有効光束は結像に用いられる光束である。また、この条件式（１５）は、後述の実施形態のズームレンズでも満足することが好ましい。
【００７１】
また、本実施形態の撮像装置では、像側レンズ群グループは合焦レンズ群を有し、無限遠から第１の至近距離への合焦では、第１正レンズ群、第１負レンズ群及び第２正レンズ群を静止した状態で、合焦レンズ群が移動し、第１の至近距離よりも近距離の第２の至近距離への合焦では、第１負レンズ群と第２正レンズ群を静止した状態で、第１正レンズ群が物体側へ移動することが好ましい。
【００７２】
無限遠にある物体から第１の至近距離にある物体への合焦では、像側レンズ群グループのうちのレンズ群を合焦に用いることが好ましい。より具体的には、合焦動作が無限遠にある物体への合焦を含む場合、像側レンズ群グループに合焦レンズ群を配置し、第２正レンズ群以外のレンズ群を合焦レンズ群とすることが好ましい。このようにすることは、合焦レンズ群の軽量化に有利となる。また、合焦レンズ群の軽量化により、合焦レンズ群の移動音を低減できる。このように、合焦レンズ群の軽量化は、動画撮影時の雑音低減等につながる。
【００７３】
一方、第１正レンズ群を繰り出すことで、いっそう近距離にある物体への合焦が可能となる。このときの距離（第２の至近距離）は、第１の至近距離よりも、さらに撮像装置に近い距離である。また、第１正レンズ群を繰り出す方向は、物体側であるのが好ましい。また、第１正レンズ群を繰り出す際は、第１負レンズ群と第２正レンズ群は静止している。
【００７４】
なお、第１正レンズ群は、十分な屈折力を持ち、高い光学性能を維持できる構成にするのが良い。このようにすることは、近距離撮影時における適切な倍率の確保と、高い光学性能の維持の両立にいっそう有利となる。また、この構成は、後述の実施形態のズームレンズでも満足することが好ましい。なお、後述の実施形態のズームレンズでは、合焦レンズ群を第２負レンズ群とすることが好ましい。
【００７５】
また、本実施形態の撮像装置では、第２の至近距離への合焦は、望遠端とは異なるズーム域の何れかにて行われ、第１正レンズ群は、望遠端における無限遠への合焦時に最も物体側に位置することが好ましい。
【００７６】
第１正レンズ群は、広角端に対して望遠端にて物体側に位置する。そのため、望遠端において、第２の至近距離にある物体へ合焦を行なうと、第１正レンズ群を更に物体側に移動させなくてはならない。その結果、光学系の全長が長くなってしまう。そこで、第２の至近距離にある物体へ合焦は、望遠端とは異なるズーム域、すなわち、望遠端よりも広角端側で行なうことが好ましい。そして、望遠端において無限遠にある物体に合焦したときに、第１レンズ群が最も物体側に位置するようにしておくことが好ましい。
このようにすることで、第１正レンズ群の移動範囲を抑えられる。すなわち、第２の至近距離にある物体へ合焦した時、第１正レンズ群が、望遠端において無限遠にある物体に合焦したときの位置よりも物体側に移動しないようにすることができる。上記のように第１正レンズ群を移動させることは、光学系の小型化に有利となる。
【００７７】
また、本実施形態の撮像装置では、第１正レンズ群は、第１正レンズと、第１正レンズよりも像側に配置された第２正レンズと、第２正レンズよりも像側に配置された第３正レンズと、を含み、以下の条件式（１６）を満足することが好ましい。
−１．８５＜ＳＦ3＜ＳＦ2＜ＳＦ1＜−０．７      （１６）
ただし、
ＳＦ1＝（ｒOL1＋ｒIL1）／（ｒOL1−ｒIL1）、
ＳＦ2＝（ｒOL2＋ｒIL2）／（ｒOL2−ｒIL2）、
ＳＦ3＝（ｒOL3＋ｒIL3）／（ｒOL3−ｒIL3）、
ＳＦnは第ｎ正レンズの形状ファクター、
ｒOLnは第ｎ正レンズの物体側屈折面の近軸曲率半径、
ｒILnは第ｎ正レンズの像側屈折面の近軸曲率半径、
ｎは１または２または３、
である。
【００７８】
第１正レンズ群を３つの正レンズにて構成すると、第１正レンズ群の正屈折力を、２つの正レンズで分担できる。そして、条件式（１６）を満足することで、入射瞳が大きくなる望遠端付近にて、球面収差を低減しやすくなる。このように、第１正レンズ群を３つの正レンズにて構成し、条件式（１６）を満足することは、第１正レンズ群において、球面収差の低減と正屈折力の増大の両立に有利となる。
【００７９】
条件式（１６）の下限値を下回らないようにして、第３正レンズの像側面の曲率を抑える（曲率半径が小さくならないようにする）ことが好ましい。条件式（１６）の下限値を下回らないようにすることは、球面収差の低減に有利である。一方、条件式（１６）の上限値を上回らないようにして、第１正レンズでの軸外光束の入射角を抑えることが好ましい。条件式（１６）の上限値を上回らないようにすることは、像面湾曲の低減に有利となる。
【００８０】
また、本実施形態のズームレンズは、最も物体側に配置された正屈折力の第１正レンズ群と、第１正レンズ群の像側に配置された負屈折力の第１負レンズ群と、第１負レンズ群の像側に配置された像側レンズ群グループと、を有し、第１正レンズ群は、広角端に対して望遠端にて物体側に位置し、第１負レンズ群と第１正レンズ群との距離が、広角端に対して望遠端にて広がり、像側レンズ群グループと第１負レンズ群との距離が、広角端から望遠端への変倍に際して変化し、像側レンズ群グループは、正屈折力の第２正レンズ群と、第２正レンズ群よりも像側に配置された正屈折力の第３正レンズ群と、を有し、第２正レンズ群と第１負レンズ群との距離が、広角端に対して望遠端にて狭まり、第３正レンズ群と第２正レンズ群との距離が、広角端から望遠端への変倍に際して変化し、以下の条件式（１）、（３）、（Ａ）を満足し、第１正レンズ群は、複数の正レンズと少なくとも１つの負レンズを有すると共に、以下の条件式（４）を満足する正レンズを少なくとも１つ有することが好ましい。
２０＜ｆt／ｆw＜６０      （１）
０．４５＜ＴＬt／ｆt＜０．７０      （３）
９０＜νｄ      （４）
Ｓ1P≧Ｓ1N≧Ｓ2P＞Ｓ3P      （Ａ）
ただし、
ｆtは、望遠端におけるズームレンズ全系の焦点距離、
ｆwは、広角端におけるズームレンズ全系の焦点距離、
ＴＬt＝ＴＺＬt＋ＦＢtであり、
ＴＺＬtは、望遠端におけるズームレンズの物体側面から像側面までの光軸上の距離、
ＦＢtは、望遠端におけるズームレンズのバックフォーカスの空気換算長、
νｄは、第１正レンズ群中の正レンズのｄ線におけるアッベ数、
Ｓ1Pは、第１正レンズ群中のレンズの総数、
Ｓ1Nは、第１負レンズ群中のレンズの総数、
Ｓ2Pは、第２正レンズ群中のレンズの総数、
Ｓ3Pは、第３正レンズ群中のレンズの総数、
である。
【００８１】
本実施形態のズームレンズの構成及び条件式の技術的意義は、本実施形態の撮像装置で説明したとおりである。また本実施形態のズームレンズは、上述の撮像装置の特徴を備えることもできる。
【００８２】
また、本実施形態の撮像装置は、ズームレンズと、ズームレンズの像側に配置された撮像素子とを有し、撮像素子は撮像面を持ち、ズームレンズにより形成された像を電気信号に変換し、ズームレンズが、上記のいずれかのズームレンズであることが好ましい。
【００８３】
このようにすることで、高変倍比でありながら、小型で、種々の撮影場面で利用しやすい撮像装置、もしくは、高変倍比でありながら、小型で、高性能化にも有利な撮像装置を提供することができる。
【００８４】
上述のズームレンズが合焦動作を行うレンズ群を有する場合は、無限遠合焦時の構成を特定するものとする。また、各構成要件は個別に組み合わせても良い。また、条件式も個別に特定してよい。
【００８５】
また、上述のズームレンズでは、変倍時、各レンズ群の間隔が変化する。また、上述のズームレンズでは、変倍時、各レンズ群が移動する。また、上述のズームレンズでは、広角端から望遠端への変倍に際して、第１正レンズ群は物体側に（のみ）移動し、第２正レンズ群は物体側に（のみ）移動し、第３正レンズ群は像側に（のみ）移動する。また、上述のズームレンズでは、変倍時、第１負レンズ群と第２負レンズ群は、一旦像側に移動した後物体側に移動する、という動きを少なくとも持つ。
【００８６】
各条件式については、上限値や下限値を以下のようにすることは、効果をより確実に発揮できるので好ましい。
条件式（１）について
下限値を２４、更には２７とすることが好ましい。
上限値を５５、更には５０とすることが好ましい。
条件式（２）について
下限値を３４°、更には３６°とすることが好ましい。
上限値を４８°、更には４５°とすることが好ましい。
条件式（３）について
下限値を０．４８、更には０．５とすることが好ましい。
上限値を０．６５、更には０．６とすることが好ましい。
条件式（４）について
下限値を９２、更には９４とすることが好ましい。
また、上限値を設ける場合は、上限値を９８とするのが好ましい。この上限値を上回らないようにすることは、コスト面で有利となる。
条件式（５）について
下限値を０．２８５とすることが好ましい。
上限値を０．４８とすることが好ましい。
条件式（６）について
下限値を８０とすることが好ましい。
また、上限値を設ける場合は、上限値を９８とするのが好ましい。この上限値を上回らないようにすることは、コスト面で有利となる。
条件式（７）について
下限値を０．２、更には０．２２とすることが好ましい。
上限値を０．４、更には０．３２とすることが好ましい。
条件式（８）について
下限値を−０．０５、更には−０．０４５とすることが好ましい。
上限値を−０．０２５とすることが好ましい。
条件式（９）について
下限値を０．０６とすることが好ましい。
上限値を０．０８５、更には０．０７８とすることが好ましい。
条件式（１０）について
下限値を−０．１６とすることが好ましい。
上限値を−０．１０５とすることが好ましい。
条件式（１１）について
下限値を０．１とすることが好ましい。
上限値を０．１３５とすることが好ましい。
条件式（１２）について
下限値を０．１４、更には０．１５とすることが好ましい。
また、上限値を設ける場合は、上限値を０．３とするのが好ましい。この上限値を上回らないようにすることは、第１正レンズ群を小型化できるので、ズームレンズ全体の小型化に有利となる。更には、上限値は０．２とすることがより好ましい。
条件式（１３）について
下限値を１．５、更には１．８とすることが好ましい。
また、上限値を設ける場合は、上限値を２．５とするのが好ましい。この上限値を上回らないようにすることは、第１正レンズ群を小型化できるので、ズームレンズ全体の小型化に有利となる。
条件式（１４）について
下限値を０．５、更には０．５５とすることが好ましい。
また、上限値を設ける場合は、上限値を０．９とするのが好ましい。この上限値を上回らないようにすることは、第１正レンズ群の屈折力を大きくしやすくなるので、光学系の小型化に有利となる。更には、上限値は０．７とすることがより好ましい。
条件式（１５）について
下限値を２．２、更には２．４とすることが好ましい。
また、上限値を設ける場合は、上限値を３．５とするのが好ましい。この上限値を上回らないようにすることは、第１負レンズ群の負屈折力のが大きくなりすぎることを抑えられるので、収差補正上有利となる。更には、上限値は３．０とすることがより好ましい。
条件式（１６）について
下限値を０．６とすることが好ましい。
上限値を１．７とすることが好ましい。
【００８７】
なお、上述の撮像装置やズームレンズは、複数の構成を同時に満足してもよい。このようにすることが、良好な光撮像装置を得る上で好ましい。また、好ましい構成の組み合わせは任意である。また、各条件式について、より限定した条件式の数値範囲の上限値あるいは下限値のみを限定しても構わない。
【００８８】
以下に、本発明に係る撮像装置に用いられるズームレンズの実施例を、図面に基づいて詳細に説明する。なお、この実施例によりこの発明が限定されるものではない。
【００８９】
以下、ズームレンズの実施例１〜８について説明する。実施例１〜８のレンズ断面図を、それぞれ図１〜図８に示す。図１〜図８中、（ａ）は、広角端におけるレンズ断面図、（ｂ）は、望遠端におけるレンズ断面図である。なお、（ａ）、（ｂ）は、いずれも、無限遠物体合焦時のレンズ断面図である。
【００９０】
また、第１レンズ群はＧ１、第２レンズ群はＧ２、開口絞り（明るさ絞り）はＳ、第３レンズ群はＧ３、第４レンズ群はＧ４、第５レンズ群はＧ５、電子撮像素子のカバーガラスの平行平板はＣ、像面はＩで示してある。また、カバーガラスＣの表面に波長域制限用の多層膜を施してもよい。また、そのカバーガラスＣにローパスフィルタ作用を持たせるようにしてもよい。
【００９１】
また、以下の説明において、第１レンズ群Ｇ１は正屈折力を有しており、第１正レンズ群に対応する。第２レンズ群Ｇ２は負屈折力を有しており、第１負レンズ群に対応する。第３レンズ群Ｇ３は正屈折力を有しており、第２正レンズ群に対応する。第４レンズ群Ｇ４は負屈折力を有しており、第２負レンズ群に対応する。第５レンズ群Ｇ５は正屈折力を有しており、第３正レンズ群に対応する。像側レンズ群グループは、第３レンズ群Ｇ３、第４レンズ群Ｇ４及び第５レンズ群Ｇ５で構成されている。
【００９２】
また、像面Ｉには、撮像素子が配置されている。撮像素子上の撮像領域が略矩形の場合、撮像領域の短辺方向とズームレンズへの入射光軸がほぼ平行となるように、撮像素子を配置することが好ましい。このような配置にすると、ズームレンズの入射光軸方向の小型化に有利となり、撮像装置の薄型化につながる。
【００９３】
実施例１〜８のズームレンズでは、像高は、中間焦点距離状態と望遠端が同じで、これらに比べて、広角端での像高が小さくなっている。これは、広角端における像をたる型形状にして、たる型の画像を電気的に矩形の画像に変換することでディストーションを補正するからである。
【００９４】
実施例１のズームレンズは、図１に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは第２レンズ群Ｇ２と、第３レンズ群Ｇ３との間に配置されている。
【００９５】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。
【００９６】
第２レンズ群Ｇ２は、両凹負レンズＬ５と、両凹負レンズＬ６と、両凸正レンズＬ７と、で構成されている。
【００９７】
第３レンズ群Ｇ３は、両凸正レンズＬ８と、物体側に凸面を向けた負メニスカスレンズＬ９と、両凸正レンズＬ１０と、で構成されている。ここで、負メニスカスレンズＬ９と両凸正レンズＬ１０とが接合されている。
【００９８】
第４レンズ群Ｇ４は、物体側に凸面を向けた負メニスカスレンズＬ１１で構成されている。
【００９９】
第５レンズ群Ｇ５は、両凸正レンズＬ１２で構成されている。
【０１００】
広角端から望遠端への変倍時、第１レンズ群Ｇ１は物体側にのみ移動し、第２レンズ群Ｇ２は移動し、開口絞りＳは第３レンズ群と共に移動し、第３レンズ群Ｇ３は物体側にのみ移動し、第４レンズ群Ｇ４は移動し、第５レンズ群Ｇ５は像側にのみ移動する。ここで、第２レンズ群Ｇ２は、先ず像側に移動し、その後物体側に移動する。また、第４レンズ群Ｇ４は、先ず像側に移動し、その後物体側に移動する。
【０１０１】
また、第２レンズ群Ｇ２は、広角端よりも望遠端にて物体側に位置する。また、第４レンズ群Ｇ４は、広角端よりも望遠端にて物体側に位置する。
【０１０２】
非球面は、両凹負レンズＬ５の両面と、両凸正レンズＬ８の両面と、両凸正レンズＬ１０の像側面と、負メニスカスレンズＬ１１の像側面と、両凸正レンズＬ１２の両面との、合計８面に設けられている。
【０１０３】
無限遠にある物体から至近距離（第１の至近距離）にある物体への合焦時は、第４レンズ群Ｇ４が、光軸に沿って像側に移動する。この時、第１レンズ群Ｇ１、第２レンズ群Ｇ２、第３レンズ群Ｇ３及び第５レンズ群Ｇ５は静止している。
【０１０４】
また、至近距離（第１の至近距離）よりも更に近い距離（第２の至近距離）にある物体への合焦時は、第１レンズ群Ｇ１が、光軸に沿って物体側に移動する。この時、第２レンズ群Ｇ２、第３レンズ群Ｇ３、第４レンズ群Ｇ４及び第５レンズ群Ｇ５は静止している。このように、実施例１のズームレンズでは、第１レンズ群Ｇ１を物体側に繰り出す（移動させる）ことにより、スーパーマクロ撮影が可能になる。
【０１０５】
実施例２のズームレンズは、図２に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは第２レンズ群Ｇ２と、第３レンズ群Ｇ３との間に配置されている。
【０１０６】
第１レンズ群Ｇ１は、物体側に凸面を向けた負メニスカスレンズＬ１と、両凸正レンズＬ２と、物体側に凸面を向けた正メニスカスレンズＬ３と、で構成されている。
【０１０７】
第２レンズ群Ｇ２は、物体側に凸面を向けた正メニスカスレンズＬ４と、両凹負レンズＬ５と、両凸正レンズＬ６と、で構成されている。
【０１０８】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０１０９】
第４レンズ群Ｇ４は、両凹負レンズＬ１０で構成されている。
【０１１０】
第５レンズ群Ｇ５は、両凸正レンズＬ１１で構成されている。
【０１１１】
広角端から望遠端への変倍時、第１レンズ群Ｇ１は物体側にのみ移動し、第２レンズ群Ｇ２は移動し、開口絞りＳは第３レンズ群と共に移動し、第３レンズ群Ｇ３は物体側にのみ移動し、第４レンズ群Ｇ４は移動し、第５レンズ群Ｇ５は像側にのみ移動する。ここで、第２レンズ群Ｇ２は、先ず像側に移動し、その後物体側に移動する。また、第４レンズ群Ｇ４は、先ず物体側に移動し、その後像側に移動し、更にその後物体側に移動する。このように、第４レンズ群Ｇ４の移動は２回の折り返しを伴う。
【０１１２】
また、第２レンズ群Ｇ２は、広角端よりも望遠端にて像側に位置する。また、第４レンズ群Ｇ４は、広角端よりも望遠端にて物体側に位置する。
【０１１３】
非球面は、両凹負レンズＬ５の両面と、両凸正レンズＬ７の両面と、両凸正レンズＬ１１の両面との、合計６面に設けられている。
【０１１４】
無限遠にある物体から至近距離（第１の至近距離）にある物体への合焦時は、第４レンズ群Ｇ４が、光軸に沿って像側に移動する。この時、第１レンズ群Ｇ１、第２レンズ群Ｇ２、第３レンズ群Ｇ３及び第５レンズ群Ｇ５は静止している。
【０１１５】
実施例３のズームレンズは、図３に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは第２レンズ群Ｇ２と、第３レンズ群Ｇ３との間に配置されている。
【０１１６】
第１レンズ群Ｇ１は、物体側に凸面を向けた負メニスカスレンズＬ１と、両凸正レンズＬ２と、物体側に凸面を向けた正メニスカスレンズＬ３と、で構成されている。
【０１１７】
第２レンズ群Ｇ２は、両凹負レンズＬ４と、両凹負レンズＬ５と、両凸正レンズＬ６と、で構成されている。
【０１１８】
第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０１１９】
第４レンズ群Ｇ４は、物体側に凸面を向けた負メニスカスレンズＬ１０で構成されている。
【０１２０】
第５レンズ群Ｇ５は、像側に凸面を向けた正メニスカスレンズＬ１１で構成されている。
【０１２１】
広角端から望遠端への変倍時、第１レンズ群Ｇ１は物体側にのみ移動し、第２レンズ群Ｇ２は移動し、開口絞りＳは第３レンズ群と共に移動し、第３レンズ群Ｇ３は物体側にのみ移動し、第４レンズ群Ｇ４は移動し、第５レンズ群Ｇ５は像側にのみ移動する。ここで、第２レンズ群Ｇ２は、先ず像側に移動し、その後物体側に移動する。また、第４レンズ群Ｇ４は、先ず像側に移動し、その後物体側に移動する。
【０１２２】
また、第２レンズ群Ｇ２は、広角端よりも望遠端にて物体側に位置する。また、第４レンズ群Ｇ４は、広角端よりも望遠端にて物体側に位置する。
【０１２３】
非球面は、両凹負レンズＬ５の両面と、両凸正レンズＬ７の両面と、正メニスカスレンズＬ１１の両面との、合計６面に設けられている。
【０１２４】
無限遠にある物体から至近距離（第１の至近距離）にある物体への合焦時は、第４レンズ群Ｇ４が、光軸に沿って像側に移動する。この時、第１レンズ群Ｇ１、第２レンズ群Ｇ２、第３レンズ群Ｇ３及び第５レンズ群Ｇ５は静止している。
【０１２５】
実施例４のズームレンズは、図４に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは第２レンズ群Ｇ２と、第３レンズ群Ｇ３との間に配置されている。
【０１２６】
第１レンズ群Ｇ１は、物体側に凸面を向けた負メニスカスレンズＬ１と、両凸正レンズＬ２と、物体側に凸面を向けた正メニスカスレンズＬ３と、で構成されている。
【０１２７】
第２レンズ群Ｇ２は、物体側に凸面を向けた負メニスカスレンズＬ４と、両凹負レンズＬ５と、両凸正レンズＬ６と、で構成されている。
【０１２８】
第３レンズ群Ｇ３は、物体側に凸面を向けた正メニスカスレンズＬ７と、物体側に凸面を向けた負メニスカスレンズＬ８と、両凸正レンズＬ９と、で構成されている。ここで、負メニスカスレンズＬ８と両凸正レンズＬ９とが接合されている。
【０１２９】
第４レンズ群Ｇ４は、両凹負レンズＬ１０で構成されている。
【０１３０】
第５レンズ群Ｇ５は、両凸正レンズＬ１１で構成されている。
【０１３１】
広角端から望遠端への変倍時、第１レンズ群Ｇ１は物体側にのみ移動し、第２レンズ群Ｇ２は移動し、開口絞りＳは第３レンズ群と共に移動し、第３レンズ群Ｇ３は物体側にのみ移動し、第４レンズ群Ｇ４は移動し、第５レンズ群Ｇ５は像側にのみ移動する。ここで、第２レンズ群Ｇ２は、先ず像側に移動し、その後物体側に移動する。また、第４レンズ群Ｇ４は、先ず物体側に移動し、その後像側に移動し、更にその後物体側に移動する。このように、第４レンズ群Ｇ４の移動は２回の折り返しを伴う。
【０１３２】
また、第２レンズ群Ｇ２は、広角端よりも望遠端にて像側に位置する。また、第４レンズ群Ｇ４は、広角端よりも望遠端にて物体側に位置する。
【０１３３】
非球面は、両凹負レンズＬ５の両面と、両凸正レンズＬ７の両面と、正メニスカスレンズＬ１１の両面との、合計６面に設けられている。
【０１３４】
無限遠にある物体から至近距離（第１の至近距離）にある物体への合焦時は、第４レンズ群Ｇ４が、光軸に沿って像側に移動する。この時、第１レンズ群Ｇ１、第２レンズ群Ｇ２、第３レンズ群Ｇ３及び第５レンズ群Ｇ５は静止している。
【０１３５】
実施例５のズームレンズは、図５に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは第２レンズ群Ｇ２と、第３レンズ群Ｇ３との間に配置されている。
【０１３６】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。
【０１３７】
第２レンズ群Ｇ２は、両凹負レンズＬ５と、両凹負レンズＬ６と、両凸正レンズＬ７と、で構成されている。
【０１３８】
第３レンズ群Ｇ３は、両凸正レンズＬ８と、物体側に凸面を向けた負メニスカスレンズＬ９と、両凸正レンズＬ１０と、で構成されている。ここで、負メニスカスレンズＬ９と両凸正レンズＬ１０とが接合されている。
【０１３９】
第４レンズ群Ｇ４は、両凹負レンズＬ１１で構成されている。
【０１４０】
第５レンズ群Ｇ５は、両凸正レンズＬ１２で構成されている。
【０１４１】
広角端から望遠端への変倍時、第１レンズ群Ｇ１は物体側にのみ移動し、第２レンズ群Ｇ２は移動し、開口絞りＳは第３レンズ群と共に移動し、第３レンズ群Ｇ３は物体側にのみ移動し、第４レンズ群Ｇ４は移動し、第５レンズ群Ｇ５は像側にのみ移動する。ここで、第２レンズ群Ｇ２は、先ず像側に移動し、その後物体側に移動する。また、第４レンズ群Ｇ４は、先ず像側に移動し、その後物体側に移動する。
【０１４２】
また、第２レンズ群Ｇ２は、広角端よりも望遠端にて物体側に位置する。また、第４レンズ群Ｇ４は、広角端よりも望遠端にて物体側に位置する。
【０１４３】
非球面は、両凹負レンズＬ６の両面と、両凸正レンズＬ８の両面と、両凸正レンズＬ１２の物体側面との、合計５面に設けられている。
【０１４４】
無限遠にある物体から至近距離（第１の至近距離）にある物体への合焦時は、第４レンズ群Ｇ４が、光軸に沿って像側に移動する。この時、第１レンズ群Ｇ１、第２レンズ群Ｇ２、第３レンズ群Ｇ３及び第５レンズ群Ｇ５は静止している。
【０１４５】
実施例６のズームレンズは、図６に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは第２レンズ群Ｇ２と、第３レンズ群Ｇ３との間に配置されている。
【０１４６】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。
【０１４７】
第２レンズ群Ｇ２は、両凹負レンズＬ５と、両凹負レンズＬ６と、両凸正レンズＬ７と、で構成されている。
【０１４８】
第３レンズ群Ｇ３は、両凸正レンズＬ８と、物体側に凸面を向けた負メニスカスレンズＬ９と、両凸正レンズＬ１０と、で構成されている。ここで、負メニスカスレンズＬ９と両凸正レンズＬ１０とが接合されている。
【０１４９】
第４レンズ群Ｇ４は、物体側に凸面を向けた負メニスカスレンズＬ１１で構成されている。
【０１５０】
第５レンズ群Ｇ５は、両凸正レンズＬ１２で構成されている。
【０１５１】
広角端から望遠端への変倍時、第１レンズ群Ｇ１は物体側にのみ移動し、第２レンズ群Ｇ２は移動し、開口絞りＳは第３レンズ群と共に移動し、第３レンズ群Ｇ３は物体側にのみ移動し、第４レンズ群Ｇ４は移動し、第５レンズ群Ｇ５は像側にのみ移動する。ここで、第２レンズ群Ｇ２は、先ず像側に移動し、その後物体側に移動し、更にその後像側に移動し、再び物体側に移動する。このように、第２レンズ群Ｇ２の移動は３回の折り返しを伴う。また、第４レンズ群Ｇ４は、先ず像側に移動し、その後物体側に移動する。
【０１５２】
また、第２レンズ群Ｇ２は、広角端よりも望遠端にて物体側に位置する。また、第４レンズ群Ｇ４は、広角端よりも望遠端にて物体側に位置する。
【０１５３】
非球面は、両凹負レンズＬ５の両面と、両凸正レンズＬ８の両面と、両凸正レンズＬ１０の像側面と、負メニスカスレンズＬ１１の像側面と、両凸正レンズＬ１２の両面との、合計８面に設けられている。
【０１５４】
無限遠にある物体から至近距離（第１の至近距離）にある物体への合焦時は、第４レンズ群Ｇ４が、光軸に沿って像側に移動する。この時、第１レンズ群Ｇ１、第２レンズ群Ｇ２、第３レンズ群Ｇ３及び第５レンズ群Ｇ５は静止している。
【０１５５】
実施例７のズームレンズは、図７に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは第２レンズ群Ｇ２と、第３レンズ群Ｇ３との間に配置されている。
【０１５６】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。
【０１５７】
第２レンズ群Ｇ２は、両凹負レンズＬ５と、両凹負レンズＬ６と、両凸正レンズＬ７と、で構成されている。
【０１５８】
第３レンズ群Ｇ３は、両凸正レンズＬ８と、物体側に凸面を向けた負メニスカスレンズＬ９と、両凸正レンズＬ１０と、で構成されている。ここで、負メニスカスレンズＬ９と両凸正レンズＬ１０とが接合されている。
【０１５９】
第４レンズ群Ｇ４は、物体側に凸面を向けた負メニスカスレンズＬ１１で構成されている。
【０１６０】
第５レンズ群Ｇ５は、両凸正レンズＬ１２と、像側に凸面を向けた負メニスカスレンズＬ１３と、で構成されている。
【０１６１】
広角端から望遠端への変倍時、第１レンズ群Ｇ１は物体側にのみ移動し、第２レンズ群Ｇ２は移動し、開口絞りＳは第３レンズ群と共に移動し、第３レンズ群Ｇ３は物体側にのみ移動し、第４レンズ群Ｇ４は移動し、第５レンズ群Ｇ５は像側にのみ移動する。ここで、第２レンズ群Ｇ２は、先ず像側に移動し、その後物体側に移動する。また、第４レンズ群Ｇ４は、先ず像側に移動し、その後物体側に移動する。
【０１６２】
また、第２レンズ群Ｇ２は、広角端よりも望遠端にて物体側に位置する。また、第４レンズ群Ｇ４は、広角端よりも望遠端にて物体側に位置する。
【０１６３】
非球面は、両凹負レンズＬ５の両面と、両凸正レンズＬ８の両面と、両凸正レンズＬ１０の像側面と、負メニスカスレンズＬ１１の像側面と、両凸正レンズＬ１２の両面との、合計８面に設けられている。
【０１６４】
無限遠にある物体から至近距離（第１の至近距離）にある物体への合焦時は、第４レンズ群Ｇ４が、光軸に沿って像側に移動する。この時、第１レンズ群Ｇ１、第２レンズ群Ｇ２、第３レンズ群Ｇ３及び第５レンズ群Ｇ５は静止している。
【０１６５】
実施例８のズームレンズは、図８に示すように、物体側から順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞り（絞り）Ｓは第２レンズ群Ｇ２と、第３レンズ群Ｇ３との間に配置されている。
【０１６６】
第１レンズ群Ｇ１は、物体側に凸面を向けた負メニスカスレンズＬ１と、両凸正レンズＬ２と、物体側に凸面を向けた正メニスカスレンズＬ３と物体側に凸面を向けた正メニスカスレンズＬ４と、で構成されている。
【０１６７】
第２レンズ群Ｇ２は、両凹負レンズＬ５と、両凹負レンズＬ６と、両凸正レンズＬ７と、で構成されている。
【０１６８】
第３レンズ群Ｇ３は、両凸正レンズＬ８と、物体側に凸面を向けた負メニスカスレンズＬ９と、両凸正レンズＬ１０と、で構成されている。ここで、負メニスカスレンズＬ９と両凸正レンズＬ１０とが接合されている。
【０１６９】
第４レンズ群Ｇ４は、平凹負レンズＬ１１と、物体側に凸面を向けた正メニスカスレンズＬ１２と、で構成されている。
【０１７０】
第５レンズ群Ｇ５は、両凸正レンズＬ１３と、像側に凸面を向けた負メニスカスレンズＬ１４と、で構成されている。
【０１７１】
広角端から望遠端への変倍時、第１レンズ群Ｇ１は物体側にのみ移動し、第２レンズ群Ｇ２は移動し、開口絞りＳは第３レンズ群と共に移動し、第３レンズ群Ｇ３は物体側にのみ移動し、第４レンズ群Ｇ４は移動し、第５レンズ群Ｇ５は像側にのみ移動する。ここで、第２レンズ群Ｇ２は、先ず像側に移動し、その後物体側に移動する。また、第４レンズ群Ｇ４は、先ず像側に移動し、その後物体側に移動する。
【０１７２】
また、第２レンズ群Ｇ２は、広角端よりも望遠端にて物体側に位置する。また、第４レンズ群Ｇ４は、広角端よりも望遠端にて物体側に位置する。
【０１７３】
非球面は、両凹負レンズＬ５の両面と、両凸正レンズＬ８の両面と、両凸正レンズＬ１０の像側面と、正メニスカスレンズＬ１２の像側面と、両凸正レンズＬ１３の両面との、合計８面に設けられている。
【０１７４】
無限遠にある物体から至近距離（第１の至近距離）にある物体への合焦時は、第４レンズ群Ｇ４が、光軸に沿って像側に移動する。この時、第１レンズ群Ｇ１、第２レンズ群Ｇ２、第３レンズ群Ｇ３及び第５レンズ群Ｇ５は静止している。
【０１７５】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数、＊印は非球面である。また、ｆは全系の焦点距離、ＦＮＯ．はＦナンバー、ωは半画角、ＩＨは像高、ＦＢはバックフォーカス、全長は、ズームレンズの最も物体側のレンズ面から最も像側のレンズ面までの距離にＦＢ（バックフォーカス）を加えたもの、ｆ１、ｆ２…は各レンズ群の焦点距離である。なお、ＦＢは、レンズ最終面から近軸像面までの距離を空気換算して表したものである。
【０１７６】
また、広角は広角端、中間１は中間焦点距離状態１、中間２は中間焦点距離状態２、中間３は中間焦点距離状態３、望遠は望遠端を表している。ここで、中間１は広角と中間２の間の焦点距離状態、中間３は中間２と望遠の間の焦点距離状態である。広角端から望遠端へ実際に変倍するときは、広角端、中間焦点距離状態１、中間焦点距離状態２、中間焦点距離状態３、望遠端の順で、変倍が行なわれる。
【０１７７】
また、数値実施例１についは、第２の至近距離にある物体に合焦したとき（スーパーマクロ時）の各種データを記載している。Pos1は第１マクロ撮影時、Pos2は第２マクロ撮影時の数値データである。至近距離は、最物体側面から物体（被写体）までの距離である。
【０１７８】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０１７９】
数値実施例１
単位ｍｍ
面データ
面番号       r           d        nd        νd
物面        ∞          ∞
1         76.873      1.00     1.91082    35.25
2         36.739      0.15
3         38.956      2.99     1.49700    81.54
4      -2000.000      0.10
5         34.300      3.03     1.43875    94.93
6        330.559      0.10
7         28.995      3.02     1.43875    94.93
8        141.577     （可変）
9*       -24.654      0.40     1.86400    40.58
10*         8.060      2.10
11         -9.985      0.45     1.72916    54.68
12         18.498      0.53
13         20.394      1.45     1.94595    17.98
14        -39.429     （可変）
15（絞り）  ∞         0.66
16*         6.685      2.61     1.58313    59.46
17*       -29.666      0.97
18         34.318      0.84     1.91082    35.25
19          5.081      2.86     1.48749    70.23
20*       -13.096     （可変）
21         93.325      0.61     1.49700    81.54
22*        11.774     （可変）
23*        28.818      1.56     1.49710    81.56
24*       -14.158     （可変）
25          ∞         1.00     1.51633    64.14
26          ∞         0.40
像面（撮像面）∞
非球面データ
第９面
k=0.000
A4=5.74403e-04,A6=-4.41207e-06,A8=-2.04129e-07,A10=5.25599e-09
第１０面
k=0.000
A4=4.10529e-04,A6=1.10341e-05,A8=-5.97778e-07,A10=2.66856e-08
第１６面
k=0.000
A4=-3.21650e-04,A6=-1.38221e-06,A8=-9.01321e-08,A10=1.12360e-09
第１７面
k=0.000
A4=2.55310e-04,A6=-1.09852e-06,A8=2.89590e-08,A10=1.84211e-09
第２０面
k=0.000
A4=-6.64184e-05,A6=-4.11923e-06,A8=7.14519e-08,A10=-1.70739e-08
第２２面
k=0.000
A4=-3.35472e-05,A6=8.42006e-06,A8=-7.30402e-07,A10=4.38207e-08
第２３面
k=0.000
A4=-1.15495e-04,A6=3.93790e-05,A8=-5.08278e-07,A10=2.28220e-08
第２４面
k=0.000
A4=1.24798e-04,A6=3.84628e-05
ズームデータ
広角     中間２     望遠     中間１    中間３
焦点距離       4.55     28.21    174.87     11.33     70.23
ＦＮＯ．       3.88      5.00      6.83      4.40      6.10
ＩＨ           3.39      3.86      3.86      3.86      3.86
２ω          82.1      15.0       2.5      36.6       6.1
ｆｂ(in air)   8.53      4.37      2.46      6.53      2.77
全長(in air)  56.44     75.62     94.73     61.95     82.53
d8           0.49     20.01     29.32      7.43     26.93
d14         16.94      6.33      0.50      8.61      3.96
d20          2.57     15.71      9.43     12.35     13.66
d22          2.48      3.76     27.59      1.60      9.77
d24          7.47      3.31      1.40      5.47      1.71
各群焦点距離
f1=42.69   f2=-5.51   f3=11.48   f4=-27.18   f5=19.33
【０１８０】
スーパーマクロ時の間隔データ
Pos1      Pos2
至近距離     192.558   295.137
倍率           0.136     0.1963
焦点距離      47.49    117.51
ＦＮＯ．       4.27      4.60
２ω           7.97      2.95
ｆｂ(in air)   4.37      2.83
全長(in air)  83.06     87.26
d8          27.46     31.61
d14          6.33      3.96
d20         18.96     21.01
d22          0.51      2.43
d24          3.24      1.64
d27          0.08      0.13
【０１８１】
数値実施例２
単位ｍｍ
面データ
面番号       r           d        nd        νd
物面        ∞          ∞
1         54.790      1.00     1.88300    40.76
2         21.924      0.10
3         22.233      3.55     1.43875    94.93
4       -104.089      0.15
5         20.468      2.93     1.59282    68.63
6        194.731     （可変）
7         40.248      0.40     1.88300    40.76
8          5.841      2.63
9*        -7.633      0.45     1.74156    49.21
10*        29.063      0.45
11         22.920      1.46     1.94595    17.98
12        -30.990     （可変）
13（絞り）  ∞         0.66
14*         5.675      1.99     1.58313    59.46
15*      -366.065      0.50
16         14.038      0.82     1.91082    35.25
17          4.048      2.40     1.48749    70.23
18        -13.571     （可変）
19        -35.830      0.43     1.51633    64.14
20          9.415     （可変）
21*        25.415      1.69     1.49710    81.56
22*       -12.042     （可変）
23          ∞         1.00     1.51633    64.14
24          ∞         0.40
像面（撮像面）∞
非球面データ
第９面
k=0.000
A4=4.22776e-04,A6=-5.36808e-05,A8=4.37478e-06,A10=-1.06838e-07
第１０面
k=0.000
A4=3.22877e-04,A6=-5.49769e-05,A8=4.74077e-06,A10=-1.21176e-07
第１４面
k=0.000
A4=-1.41008e-04,A6=-1.53643e-05,A8=2.73442e-07,A10=3.23009e-09
第１５面
k=0.000
A4=5.45234e-04,A6=-1.85978e-05,A8=6.46690e-07,A10=3.43566e-09
第２１面
k=0.000
A4=-3.24708e-04,A6=8.45115e-06,A8=-1.60315e-07,A10=5.05996e-09
第２２面
k=0.000
A4=-1.62401e-04,A6=7.96280e-06,A8=-1.93649e-07,A10=5.85825e-09
ズームデータ
広角     中間２     望遠     中間１    中間３
焦点距離       4.55     24.41    130.99     10.54     56.55
ＦＮＯ．       3.08      5.15      6.91      4.05      6.40
ＩＨ           3.53      4.16      4.16      4.16      4.16
２ω          83.1      18.5       3.6      42.5       8.3
ｆｂ(in air)   8.46      5.75      2.46      7.76      2.89
全長(in air)  53.23     63.83     78.08     54.43     72.53
d6           0.34     15.18     26.33      3.80     21.77
d12         17.28      4.89      0.50      8.26      3.46
d18          2.26     11.22      7.33      6.77     10.54
d20          3.27      5.17     19.85      6.22     12.26
d22          7.41      4.69      1.40      6.70      1.83
各群焦点距離
f1=38.14   f2=-5.60   f3=9.89   f4=-14.39   f5=16.69
【０１８２】
数値実施例３
単位ｍｍ
面データ
面番号       r           d        nd        νd
物面        ∞          ∞
1         42.672      1.00     1.91082    35.25
2         24.799      0.13
3         24.640      4.65     1.49700    81.54
4       -251.690      0.15
5         24.626      3.60     1.49700    81.54
6        169.568     （可変）
7       -133.765      0.40     1.88300    40.76
8          6.757      2.27
9*        -8.308      0.45     1.74156    49.21
10*        25.509      0.48
11         19.169      1.48     1.94595    17.98
12        -40.121     （可変）
13（絞り）  ∞         0.66
14*         6.549      2.76     1.58313    59.46
15*       -38.493      0.58
16         23.270      1.05     1.91082    35.25
17          4.859      2.68     1.48749    70.23
18        -14.732     （可変）
19         36.768      0.62     1.51633    64.14
20         10.070     （可変）
21*       -35.811      2.20     1.49710    81.56
22*        -8.092     （可変）
23          ∞         1.00     1.51633    64.14
24          ∞         0.40
像面（撮像面）∞
非球面データ
第９面
k=0.000
A4=6.34015e-04,A6=2.18875e-05,A8=-3.31401e-06,A10=1.17218e-07
第１０面
k=0.000
A4=5.72573e-04,A6=6.94117e-07,A8=-2.13581e-06,A10=8.95311e-08
第１４面
k=0.000
A4=-3.39715e-04,A6=5.64902e-06,A8=-4.89183e-07,A10=2.47289e-09
第１５面
k=0.000
A4=1.97393e-04,A6=9.37210e-06,A8=-7.55161e-07,A10=1.29566e-08
第２１面
k=0.000
A4=-6.83520e-04,A6=-3.97071e-06,A8=1.65522e-06,A10=-7.97399e-08
第２２面
k=0.000
A4=-2.86777e-04,A6=4.09813e-06,A8=8.99804e-07,A10=-4.54312e-08
ズームデータ
広角     中間２     望遠     中間１    中間３
焦点距離       4.55     28.21    174.87     11.33     70.23
ＦＮＯ．       3.88      5.00      6.88      4.40      6.10
ＩＨ           3.53      4.16      4.16      4.16      4.16
２ω          85.0      16.1       2.8      39.0       6.8
ｆｂ(in air)   9.40      5.55      2.46      7.68      1.89
全長(in air)  56.23     75.51     92.23     61.37     81.23
d6           0.48     19.34     28.61      6.73     25.38
d12         17.31      7.16      0.50      9.02      4.44
d18          1.47      9.32      5.42      8.42     10.37
d20          2.42      9.00     30.10      4.38     14.01
d22          8.34      4.49      1.40      6.62      0.83
各群焦点距離
f1=41.79   f2=-5.55   f3=11.13   f4=-27.07   f5=20.49
【０１８３】
数値実施例４
単位ｍｍ
面データ
面番号       r           d        nd        νd
物面        ∞          ∞
1         38.921      1.00     1.91082    35.25
2         22.847      0.10
3         22.675      3.36     1.49700    81.54
4       -296.725      0.15
5         21.419      2.57     1.49700    81.54
6         91.753     （可変）
7         82.949      0.40     1.88300    40.76
8          5.785      2.45
9*        -8.940      0.45     1.74156    49.21
10*        34.684      0.38
11         19.397      1.45     1.94595    17.98
12        -45.810     （可変）
13（絞り）  ∞         0.66
14*         5.868      2.07     1.58313    59.46
15*       412.402      0.67
16         14.034      0.83     1.91082    35.25
17          4.227      2.37     1.48749    70.23
18        -13.284     （可変）
19        -47.610      0.44     1.51633    64.14
20          9.092     （可変）
21*        24.494      1.75     1.49710    81.56
22*       -11.958     （可変）
23          ∞         1.00     1.51633    64.14
24          ∞         0.40
像面（撮像面）∞
非球面データ
第９面
k=0.000
A4=4.49114e-05,A6=2.58363e-05,A8=-1.57823e-06,A10=3.43855e-08
第１０面
k=0.000
A4=1.99078e-05,A6=1.62937e-05,A8=-1.13964e-06,A10=2.86830e-08
第１４面
k=0.000
A4=-2.13179e-04,A6=-2.53479e-06,A8=-1.57084e-07,A10=5.02378e-09
第１５面
k=0.000
A4=4.14668e-04,A6=-1.19363e-07,A8=-2.29816e-07,A10=1.45490e-08
第２１面
k=0.000
A4=-5.00222e-04,A6=4.67885e-05,A8=-2.38442e-06,A10=7.57654e-08
第２２面
k=0.000
A4=-3.81892e-04,A6=5.45636e-05,A8=-2.86603e-06,A10=8.75631e-08
ズームデータ
広角     中間２     望遠     中間１    中間３
焦点距離       4.55     24.41    131.01     10.54     56.55
ＦＮＯ．       2.81      4.69      7.04      3.94      6.09
ＩＨ           3.53      4.16      4.16      4.16      4.16
２ω          82.8      18.5       3.6      42.3       8.3
ｆｂ(in air)   8.55      5.16      2.46      6.85      2.68
全長(in air)  53.23     63.83     78.08     53.65     72.28
d6           0.32     14.97     26.64      3.89     21.84
d12         18.05      5.36      0.50      8.80      3.52
d18          2.12     11.35      8.81      7.25     11.58
d20          3.10      5.89     18.58      5.77     11.55
d22          7.09      3.70      1.00      5.39      1.23
d25          0.40      0.40      0.40      0.40      0.40
各群焦点距離
f1=40.04   f2=-5.72   f3=10.10   f4=-14.75   f5=16.43
【０１８４】
数値実施例５
単位ｍｍ
面データ
面番号       r           d        nd        νd
物面        ∞          ∞
1         81.806      1.00     1.91082    35.25
2         36.191      0.10
3         37.061      3.19     1.49700    81.54
4       -498.419      0.10
5         35.000      2.91     1.45600    90.28
6        290.553      0.10
7         27.700      3.00     1.45600    90.28
8        114.422     （可変）
9        -71.570      0.40     1.88300    40.76
10          7.630      1.98
11*       -10.161      0.45     1.74156    49.21
12*        11.909      0.69
13         17.463      1.50     1.94595    17.98
14        -43.852     （可変）
15（絞り）  ∞         0.66
16*         6.138      2.46     1.58313    59.46
17*       -96.248      0.77
18         20.534      0.80     1.91082    35.25
19          4.640      2.77     1.48749    70.23
20        -14.090     （可変）
21       -105.171      0.62     1.51633    64.14
22         15.733     （可変）
23*        66.048      1.55     1.49710    81.56
24        -11.578     （可変）
25          ∞         1.00     1.51633    64.14
26          ∞         0.40
像面（撮像面）∞
非球面データ
第１１面
k=0.000
A4=4.85772e-04,A6=-1.06983e-06,A8=-4.38703e-07,A10=9.23372e-09
第１２面
k=0.000
A4=1.96415e-04,A6=-1.07949e-05
第１６面
k=0.000
A4=-3.22634e-04,A6=-2.20402e-06,A8=-1.74689e-08,A10=-5.39377e-09
第１７面
k=0.000
A4=2.44920e-04
第２３面
k=0.000
A4=-2.72542e-04,A6=-1.66190e-07
ズームデータ
広角     中間２     望遠     中間１    中間３
焦点距離       4.55     28.21    174.88     11.33     70.23
ＦＮＯ．       3.88      5.00      6.88      4.40      6.10
ＩＨ           3.53      4.16      4.16      4.16      4.16
２ω          86.1      16.0       2.7      39.1       6.6
ｆｂ(in air)  10.11      5.60      2.45      7.96      3.11
全長(in air)  56.23     74.23     92.72     61.79     81.23
d8           0.41     19.39     28.29      8.17     25.65
d14         16.73      6.27      0.50      8.79      3.98
d20          0.80     13.40      6.83      9.67     11.89
d22          3.13      4.51     29.60      2.15     11.54
d24          9.05      4.54      1.40      6.90      2.05
各群焦点距離
f1=41.26   f2=-5.47   f3=11.19  f4=-26.46   f5=19.95
【０１８５】
数値実施例６
単位ｍｍ
面データ
面番号       r           d        nd        νd
物面        ∞          ∞
1         76.944      1.00     1.91082    35.25
2         36.940      0.10
3         38.129      3.37     1.49700    81.54
4      -2000.000      0.10
5         36.915      3.38     1.43875    94.93
6        525.263      0.10
7         29.122      3.30     1.43875    94.93
8        139.806     （可変）
9*       -28.378      0.43     1.86400    40.58
10*         8.375      2.11
11         -9.529      0.45     1.72916    54.68
12         17.272      0.57
13         21.139      1.45     1.94595    17.98
14        -37.154     （可変）
15（絞り）  ∞         0.66
16*         7.260      2.85     1.58313    59.46
17*       -20.028      1.05
18         59.130      1.00     1.91082    35.25
19          5.387      3.10     1.48749    70.23
20*       -12.788     （可変）
21         66.179      0.76     1.49700    81.54
22*        11.681     （可変）
23*        25.830      1.94     1.49710    81.56
24*       -14.918     （可変）
25          ∞         1.00     1.51633    64.14
26          ∞         0.40
像面（撮像面）∞
非球面データ
第９面
k=0.000
A4=5.33768e-04,A6=-4.52696e-06,A8=-7.06370e-08,A10=2.17837e-09
第１０面
k=0.000
A4=3.65845e-04,A6=9.26416e-06,A8=-4.97531e-07,A10=3.59183e-08
第１６面
k=0.000
A4=-3.15331e-04,A6=-2.12781e-06,A8=-2.36001e-07,A10=1.25714e-08
第１７面
k=0.000
A4=2.81533e-04,A6=-8.19928e-06,A8=2.16359e-07,A10=7.26872e-09
第２０面
k=0.000
A4=-1.88851e-04,A6=4.57536e-06,A8=-7.26281e-07,A10=-4.62290e-09
第２２面
k=0.000
A4=-1.22024e-05,A6=2.53700e-06,A8=1.88302e-07,A10=-1.39628e-08
第２３面
k=0.000
A4=-2.90471e-04,A6=1.30652e-05,A8=-1.37328e-07,A10=1.30885e-09
第２４面
k=0.000
A4=-9.84317e-05,A6=8.99929e-06
ズームデータ
広角     中間２     望遠     中間１    中間３
焦点距離       4.55     28.21    174.87     11.33     70.23
ＦＮＯ．       3.88      5.00      6.40      4.40      6.10
ＩＨ           3.53      4.16      4.16      4.16      4.16
２ω          84.8      16.0       2.7      39.2       6.6
ｆｂ(in air)   9.63      5.39      2.46      7.79      3.08
全長(in air)  59.23     78.73     95.33     65.04     84.73
d8           0.44     19.92     29.43      7.87     26.85
d14         17.47      6.70      0.50      9.07      4.03
d20          0.80     14.91      8.99     10.90     14.94
d22          3.17      4.08     26.23      1.68      8.11
d24          8.57      4.33      1.40      6.73      2.02
各群焦点距離
f1=43.01   f2=-5.57   f3=11.90   f4=-28.67   f5=19.33
【０１８６】
数値実施例７
単位ｍｍ
面データ
面番号       r           d        nd        νd
物面        ∞          ∞
1         77.370      1.00     1.91082    35.25
2         37.006      0.13
3         38.955      3.00     1.49700    81.54
4      -2000.000      0.10
5         34.434      3.03     1.43875    94.93
6        343.788      0.10
7         28.937      2.97     1.43875    94.93
8        125.948     （可変）
9*       -29.340      0.40     1.86400    40.58
10*         7.822      2.10
11         -9.841      0.45     1.72916    54.68
12         18.193      0.54
13         20.934      1.45     1.94595    17.98
14        -38.153     （可変）
15（絞り）  ∞         0.50
16*         6.678      2.62     1.58313    59.46
17*       -28.041      0.79
18         28.952      0.80     1.91082    35.25
19          4.989      2.86     1.48749    70.23
20*       -14.515     （可変）
21        486.610      0.58     1.49700    81.54
22*        12.431     （可変）
23*        20.359      1.71     1.49710    81.56
24*       -13.318      0.12
25        -21.300      0.36     1.80440    39.59
26        -27.293     （可変）
27          ∞         1.00     1.51633    64.14
28          ∞         0.40
像面（撮像面）∞
非球面データ
第９面
k=0.000
A4=4.75888e-04,A6=-4.84163e-06,A8=-4.61247e-08,A10=1.91567e-09
第１０面
k=0.000
A4=3.05511e-04,A6=7.96439e-06,A8=-4.67707e-07,A10=3.18936e-08
第１６面
k=0.000
A4=-3.40099e-04,A6=-1.19695e-06,A8=-1.11057e-07,A10=1.97228e-09
第１７面
k=0.000
A4=2.42137e-04,A6=-1.18219e-06,A8=4.72774e-08,A10=1.98463e-09
第２０面
k=0.000
A4=-1.02403e-04,A6=-3.30056e-06,A8=-2.57322e-08,A10=-1.85061e-08
第２２面
k=0.000
A4=-2.29882e-05,A6=3.20844e-06,A8=-2.47246e-08,A10=1.22198e-08
第２３面
k=0.000
A4=1.43207e-04,A6=-1.90161e-05,A8=1.31754e-06,A10=-2.63736e-08
第２４面
k=0.000
A4=3.75312e-04,A6=-3.36777e-06
ズームデータ
広角     中間２     望遠     中間１    中間３
焦点距離       4.55     28.21    174.87     11.33     70.23
ＦＮＯ．       3.88      5.00      6.83      4.40      6.10
ＩＨ           3.53      4.16      4.16      4.16      4.16
２ω          85.4      16.1       2.7      39.1       6.6
ｆｂ(in air)   8.62      4.81      2.46      7.00      2.46
全長(in air)  56.93     75.70     94.73     62.49     82.53
d8           0.46     20.16     29.59      8.62     26.98
d14         17.18      6.25      0.50      8.87      3.80
d20          1.83     15.23     10.36     10.94     14.97
d22          3.22      3.64     26.19      1.44      8.69
d26          7.56      3.75      1.40      5.94      1.40
各群焦点距離
f1=43.12   f2=-5.52   f3=11.34   f4=-25.68   f5=19.03
【０１８７】
数値実施例８
単位ｍｍ
面データ
面番号       r           d        nd        νd
物面        ∞          ∞
1         76.797      1.00     1.91082    35.25
2         36.937      0.14
3         38.956      2.99     1.49700    81.54
4      -2000.000      0.10
5         34.300      3.03     1.43875    94.93
6        330.561      0.10
7         29.129      2.95     1.43875    94.93
8        127.943     （可変）
9*       -29.431      0.40     1.86400    40.58
10*         7.934      2.13
11         -9.728      0.45     1.72916    54.68
12         18.262      0.54
13         21.117      1.44     1.94595    17.98
14        -38.768     （可変）
15（絞り）  ∞         0.50
16*         6.776      2.61     1.58313    59.46
17*       -26.062      0.90
18         31.424      0.80     1.91082    35.25
19          5.051      2.86     1.48749    70.23
20*       -14.050     （可変）
21           ∞        0.40     1.49700    81.54
22          8.768      0.11
23          9.300      0.44     1.51633    64.14
24*        13.721     （可変）
25*        21.004      1.76     1.49710    81.56
26*       -11.279      0.12
27        -21.300      0.36     1.80440    39.59
28        -34.360     （可変）
29          ∞         1.00     1.51633    64.14
30          ∞         0.40
像面（撮像面）∞
非球面データ
第９面
k=0.000
A4=4.76328e-04,A6=-4.27053e-06,A8=-2.38538e-08,A10=1.22320e-09
第１０面
k=0.000
A4=3.12905e-04,A6=8.26113e-06,A8=-5.12817e-07,A10=4.04000e-08
第１６面
k=0.000
A4=-3.31610e-04,A6=-1.54498e-06,A8=-1.23895e-07,A10=3.08278e-09
第１７面
k=0.000
A4=2.55408e-04,A6=-2.20119e-06,A8=6.28543e-08,A10=2.29430e-09
第２０面
k=0.000
A4=-1.17194e-04,A6=-2.80936e-06,A8=-1.04559e-07,A10=-1.75334e-08
第２４面
k=0.000
A4=-3.05045e-05,A6=6.39706e-06,A8=-4.80035e-07,A10=2.54192e-08
第２５面
k=0.000
A4=-1.73738e-04,A6=2.41050e-05,A8=-8.73902e-07,A10=2.56806e-08
第２６面
k=0.000
A4=1.13879e-04,A6=2.90597e-05,A8=-1.20098e-06,A10=2.77084e-08
ズームデータ
広角     中間２     望遠     中間１    中間３
焦点距離       4.55     28.21    174.87     11.33     70.23
ＦＮＯ．       3.88      5.00      6.83      4.40      6.10
ＩＨ           3.53      4.16      4.16      4.16      4.16
２ω          85.1      16.1       2.7      39.1       6.6
ｆｂ(in air)   8.71      4.70      2.46      6.98      2.46
全長(in air)  56.91     76.01     95.03     62.70     82.83
d8           0.45     20.15     29.59      8.49     26.96
d14         17.04      6.31      0.50      8.85      3.78
d20          1.62     15.00     10.46     10.80     15.10
d24          2.94      3.71     25.88      1.44      8.39
d28          7.65      3.64      1.40      5.92      1.40
各群焦点距離
f1=43.14   f2=-5.50   f3=11.37   f4=-25.85   f5=19.04
【０１８８】
以上の実施例１〜８の収差図を、それぞれ図９〜図１６に示す。いずれも、無限遠物体合焦時の収差図である。また、各図中、”ＦＩＹ”は最大像高を示す。
【０１８９】
これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示す。
【０１９０】
また、（ｅ）、（ｇ）、（ｇ）、（ｈ）は、それぞれ、中間焦点距離状態１における球面収差（ＳＡ）、非点収差（ＡＳ）、歪曲収差（ＤＴ）、倍率色収差（ＣＣ）を示す。
【０１９１】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示す。
【０１９２】
次に、各実施例における条件式（１）〜（１６）の値、及び（Ａ）、（Ｂ）に関する要素値を掲げる。なお、-（ハイフン）は値が存在しないことを表している。これは、条件式の値を算出するための構成（要素）が存在しないためである。
実施例１     実施例２     実施例３     実施例４
(1)     ft/fw            38.43        28.79        38.43        28.79
(2)     arctan(IHMAX/fw) 41.1         40.6         42.5         41.4
(3)     TLt/ft            0.542        0.596        0.527        0.596
(4)     νd(L1)          81.54        94.93        81.54        81.54
(4)     νd(L3)          94.93        68.63        81.54        81.54
(4)     νd(L4)          94.93          -            -            -
(5)     dP1P/D1P          0.291        0.459        0.488        0.468
(6)     νdN2N           81.54        64.14        64.14        64.14
(7)     f1P/ft            0.244        0.291        0.239        0.306
(8)     f1N/ft           -0.032       -0.043       -0.032       -0.044
(9)     f2P/ft            0.066        0.075        0.064        0.077
(10)    f2N/ft           -0.155       -0.11        -0.155       -0.113
(11)    f3P/ft            0.111        0.127        0.117        0.125
(12)    D1P/TLw           0.184        0.145        0.169        0.134
(13)    D1P/D1N           2.108        1.433        1.878        1.398
(14)    (TLt-TLw)/TLw     0.678        0.467        0.64         0.467
(15)    ME1Pw/ME1Nw       2.628        2.172        2.61         2.159
(16)    SF1              -0.962       -0.648       -0.822       -0.858
(16)    SF2              -1.232       -1.235       -1.34        -1.609
(16)    SF3              -1.515         -            -            -
(A),(B) S1P               4            3            3            3
(A),(B) S1N               3            3            3            3
(A),(B) S2P               3            3            3            3
(A),(B) S2N               1            1            1            1
(A),(B) S3P               1            1            1            1
実施例５     実施例６     実施例７     実施例８
(1)     ft/fw            38.43        38.43        38.43        38.43
(2)     arctan(IHMAX/fw) 43.0         42.4         42.7         42.5
(3)     TLt/ft            0.53         0.545        0.544        0.543
(4)     νd(L1)          81.54        81.54        81.54        81.54
(4)     νd(L3)          90.28        94.93        94.93        94.93
(4)     νd(L4)          90.28        94.93        94.93        94.93
(5)     dP1P/D1P          0.307        0.298        0.294        0.294
(6)     νdN2N           64.14        81.54        81.54        81.54
(7)     f1P/ft            0.236        0.246        0.247        0.247
(8)     f1N/ft           -0.031       -0.032       -0.032       -0.031
(9)     f2P/ft            0.064        0.068        0.065        0.065
(10)    f2N/ft           -0.151       -0.164       -0.147       -0.148
(11)    f3P/ft            0.114        0.111        0.109        0.109
(12)    D1P/TLw           0.185        0.192        0.18         0.181
(13)    D1P/D1N           2.074        2.262        2.09         2.074
(14)    (TLt-TLw)/TLw     0.649        0.609        0.66         0.67
(15)    ME1Pw/ME1Nw       2.675        2.764        2.624        2.611
(16)    SF1              -0.862       -0.963       -0.962       -0.962
(16)    SF2              -1.274       -1.151       -1.223       -1.232
(16)    SF3              -1.639       -1.526       -1.597       -1.59
(A),(B) S1P               4            4            4            4
(A),(B) S1N               3            3            3            3
(A),(B) S2P               3            3            3            3
(A),(B) S2N               1            1            1            2
(A),(B) S3P               1            1            2            2
【０１９３】
至近距離（第１の至近距離）にある物体へ合焦した時の、物体までの距離（ワーキングディスタンス）を以下に示す。
実施例１     実施例２     実施例３     実施例４
広角端    150          150          150          150
中間２    600          400          600          400
望遠端   1800          800         1800          800
実施例５     実施例６     実施例７     実施例８
広角端    150          150          150          150
中間２    600          400          500          500
望遠端   1800          800         1000         1000
【０１９４】
また、無限遠にある物体から至近距離（第１の至近距離）にある物体へ合焦した時の、第４レンズ群の移動量を以下に示す。合焦時、第４レンズ群は像側に移動する。ここで、物体側から像側に向かう方向を正としているので、第４レンズ群の移動量は正の値となっている。
実施例１     実施例２     実施例３     実施例４
広角端    0.222        0.102        0.198        0.108
中間２    2.438        1.026        1.272        1.016
望遠端    6.847        5.108        5.393        5.846
実施例５     実施例６     実施例７     実施例８
広角端    0.191        0.221        0.197        0.199
中間２    1.938        3.409        2.586        2.545
望遠端    5.774        22.678      13.659       13.962
【０１９５】
図１７は、本発明のズームレンズを用い、撮像素子として小型のＣＣＤ又はＣＭＯＳなどを用いた撮像装置としてのコンパクトカメラ１の断面図である。コンパクトカメラ１の鏡筒内には撮像レンズ系２が配置され、ボディには、撮像素子面４、バックモニタ５が配置されている。
ここで、鏡筒にマウント部を設けて、撮像レンズ系２を一眼ミラーレスカメラのボディに対して着脱可能とすることもできる。このマウント部は、例えばスクリュータイプやバヨネットタイプ等のマウントを用いる。
【０１９６】
このような構成のコンパクトカメラ１の撮像レンズ系２として、例えば上記実施例１〜８に示した本発明のズームレンズが用いられる。
【０１９７】
図１８、図１９は、ズームレンズを撮影光学系４１に組み込んだ、本発明に係る撮像装置の構成の概念図を示す。図１８は撮像装置としてのデジタルカメラ４０の外観を示す前方斜視図、図１９は同後方斜視図である。
【０１９８】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０１９９】
図２０は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０２００】
図２０に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２０１】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２０２】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０２０３】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０２０４】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２０５】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２０６】
記録媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２０７】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２０８】
このように構成されたデジタルカメラ４０は、撮影光学系４１として本発明のズームレンズを採用することで、高変倍比でありながら、小型で、種々の撮影場面で利用しやすい撮像装置、もしくは、高変倍比でありながら、小型で、高性能化にも有利な撮像装置とすることが可能となる。
【産業上の利用可能性】
【０２０９】
以上のように、本発明にかかる撮像装置は、小型で、種々の撮影場面で利用しやすい撮像装置、もしくは、高変倍比でありながら、小型で、高性能化にも有利な撮像装置に適している。また、本発明にかかるズームレンズは、このような撮像装置の光学系に適している。
【符号の説明】
【０２１０】
Ｇ１…第１レンズ群
Ｇ２…第２レンズ群
Ｇ３…第３レンズ群
Ｇ４…第４レンズ群
Ｇ５…第５レンズ群
Ｓ…明るさ（開口）絞り
Ｃ…カバーガラス
Ｉ…像面
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
2014021367.tif 000003
【図２】
2014021367.tif 000004
【図３】
2014021367.tif 000005
【図４】
2014021367.tif 000006
【図５】
2014021367.tif 000007
【図６】
2014021367.tif 000008
【図７】
2014021367.tif 000009
【図８】
2014021367.tif 000010
【図９】
2014021367.tif 000011
【図１０】
2014021367.tif 000012
【図１１】
2014021367.tif 000013
【図１２】
2014021367.tif 000014
【図１３】
2014021367.tif 000015
【図１４】
2014021367.tif 000016
【図１５】
2014021367.tif 000017
【図１６】
2014021367.tif 000018
【図１７】
2014021367.tif 000019
【図１８】
2014021367.tif 000020
【図１９】
2014021367.tif 000021
【図２０】
2014021367.tif 000022